(57)【要約】【課題】箱状の外側構成部と、外側構成部の内側に設けられ鉢植えの花を収納するための内側構成部とを有する包装箱で、包装箱の状態で鉢植えの花を鑑賞可能にするとともに、包装箱から外側構成部を除いた状態で鉢植えの花を鑑賞可能とすることができ、外側構成部を除いて鑑賞可能にする操作を容易に行なうことができる包装箱を提供する。【解決手段】包装箱Ｐは、内箱部Ａと外箱部Ｂとを有し、内箱部Ａには、鉢植えの花を保持するための保持部１００が設けられ、外箱部Ｂは、保持部１００に保持された鉢植えの花を鑑賞するための窓部Ｍが設けられている。外箱部Ｂの片部２２４、２３４を外側に回動させることにより、側面部２０において、分離部２４と本体部２２間の切目線が切断し、側面部３０において、分離部３４と本体部３２間の切目線が切断し、外箱部Ｂを取り外すことができる。【選択図】図１３
2018184178.tif 000002
【特許請求の範囲】
【請求項１】
包装箱であって、
内箱部（Ａ）と外箱部（Ｂ）とを有し、内箱部と外箱部が、それぞれシート状のブランクにより形成され、
内箱部が、
底面部（５０）と、
底面部から連設された内側スリーブ状部で、内側正面部（１０）と、内側右側面部（２０）と、内側左側面部（３０）と、内側背面部（４０）とを有する内側スリーブ状部（５）と、
内側正面部から連設された保持部で、内側正面部の上辺から折れ線を介して連設された保持部本体（１１０）と、保持部本体の内側正面部とは反対側の辺部から折れ線を介して連設された脚部（１２０）とを有し、保持部本体には、被収納物を保持するための保持手段（１１３）が設けられた保持部（１００）と、を有し、
内側右側面部において、内側右側面部の一部が第１分離部（２４）として第１分離部以外の部分である内側右側面部本体部（２２）と第１切目線（２４ａ）を介して分離可能に形成され、
内側左側面部において、内側左側面部の一部が第２分離部（３４）として第２分離部以外の部分である内側左側面部本体部（３２）と第２切目線（３４ａ）を介して分離可能に形成され、
外箱部が、
内箱部の外側の面に沿って設けられた外側スリーブ状部で、内箱部の内側正面部の外側の面に沿って形成された外側正面部（２１０）と、内側右側面部の外側の面に沿って形成された外側右側面部（２２０）と、内側左側面部の外側の面に沿って形成された外側左側面部（２３０）と、内側背面部の外側の面に沿って形成された外側背面部（２４０）とを有する外側スリーブ状部（２０５）と、
外側正面部の上辺から折れ線を介して連設された蓋部（２６０）と、を有し、
外側右側面部に第１分離部が接着され、外側右側面部における第１分離部が接着された領域を含む第１回動片部（２２４）が外側右側面部の他の部分に対して回動可能に形成されるとともに、外側左側面部に第２分離部が接着され、外側左側面部における第２分離部が接着された領域を含む第２回動片部（２３４）が外側左側面部の他の部分に対して回動可能に形成され、
外側正面部と蓋部からなる領域内には、保持部に保持された被収納物を外部から視認するための窓部（Ｍ）が形成され、
保持部を組み立てた状態では、保持部本体が内側正面部に対して背面側に折り曲げられているとともに、脚部が、内側背面部の内側の面に沿った状態となり、
第１回動片部を外側に回動させることにより第１切目線が切断されて第１分離部が第１回動片部に接着した状態で内箱部から分離し、第２回動片部を外側に回動させることにより第２切目線が切断されて第２分離部が第２回動片部に接着した状態で内箱部から分離することを特徴とする包装箱。
【請求項２】
外側正面部と外側右側面部間の折れ線である第１折れ線（Ｃ２３）における上端から下端までの第１途中位置（Ｗ１）から上端まで第３切目線（Ｋ２１２）が形成されるとともに、外側正面部と外側左側面部間の折れ線である第２折れ線（Ｃ２２）における上端から下端までの第２途中位置（Ｗ２）から上端まで第４切目線（Ｋ２１４）が形成され、第１途中位置と第２途中位置を結ぶ方向が外側正面部と蓋部間の折れ線（Ｃ２５）と平行であり、
外側正面部には、外側正面部と蓋部間の折れ線と平行な折曲げ用の罫線（Ｃ２１０、Ｃ２１２）が、第１途中位置と第２途中位置の間に第１途中位置と第２途中位置を結ぶ方向に形成され、
第３切目線と第４切目線を切断することにより、外側正面部が折曲げ用の罫線を介して折曲げ可能となることを特徴とする請求項１に記載の包装箱。
【請求項３】
保持部本体には、内側正面部とは反対側に突状部（１１４、１１６）が設けられ、内側背面部には、突状部が係止するための穴部（４４、４６）が設けられていることを特徴とする請求項１又は２に記載の包装箱。
【請求項４】
窓部は、外側正面部と蓋部からなる領域内に形成された窓用開口部（Ｋ２６２）と、窓用開口部を被覆するシート状部材で、透明性を有し、収納された被収納物を包装箱の外部から視認可能なシート状部材（ＴＳ）とを有することを特徴とする請求項１又は２又は３に記載の包装箱。
【請求項５】
内箱部の内側右側面部と内側左側面部と内側背面部における少なくともいずれかには第１通気口（２８、３８）が設けられ、外箱部には、第１通気口と連通する第２通気口（２２８、２３８）が設けられていることを特徴とする請求項１又は２又は３又は４に記載の包装箱。
【請求項６】
蓋部が、外側正面部の上辺から折れ線を介して連設された蓋本体（２６２）と、蓋本体の外側正面部とは反対側の辺部から折れ線を介して連設された蓋フラップ（２６４）とを有し、蓋フラップを外側背面部の内側に差し込むことにより蓋部が閉じられることを特徴とする請求項１又は２又は３又は４又は５に記載の包装箱。
【請求項７】
保持部が、保持部本体の右側面側の辺部から折れ線を介して連設された第１フラップ部（１３０）と、保持部本体の左側面側の辺部から折れ線を介して連設された第２フラップ部（１４０）とを有し、保持部を組み立てた状態では、第１フラップ部が保持部本体に対して下方に折り曲げられ、第２フラップ部が保持部本体に対して下方に折り曲げられていることを特徴とする請求項１又は２又は３又は４又は５又は６に記載の包装箱。
【請求項８】
底面部が、ワンタッチ底により形成され、内側左側面部の下辺から連設された底面部第１片部（６０）と、内側正面部の下辺から連設された底面部第２片部（７０）と、内側背面部の下辺から連設された底面部第３片部（８０）と、内側右側面部の下辺から連設された底面部第４片部（９０）とを有し、
底面部第１片部と底面部第２片部と底面部第３片部と底面部第４片部における隣接する２つの片部である底面部第１片部対の一方における他方の側の部分である第１端部領域（８４）が折れ線を介して折曲げ可能であり、該第１端部領域が底面部第１片部対における他方に接着され、
底面部第１片部と底面部第２片部と底面部第３片部と底面部第４片部における底面部第１片部対以外の互いに隣接する２つの片部である底面部第２片部対の一方における他方の側の部分である第２端部領域（７４）が折れ線を介して折曲げ可能であり、該第２端部領域が底面部第２片部対における他方に接着されていることを特徴とする請求項１又は２又は３又は４又は５又は６又は７に記載の包装箱。
【請求項９】
保持部本体における保持手段が、被収納物を収容するための開口部（１１３ａ）又は被収納物を収容するための開口部を形成するための切目線で切込み（１１３ｂ、１１３ｃ）又は切断予定線からなる切目線を有することを特徴とする請求項１又は２又は３又は４又は５又は６又は７又は８に記載の包装箱。
【請求項１０】
包装箱であって、内箱部（Ａ）と外箱部（Ｂ）とを有し、内箱部と外箱部が、それぞれシート状のブランクにより形成され、内箱部が、第１内箱部側面部（４０）と第２内箱部側面部（３０）と第３内箱部側面部（１０）と第４内箱部側面部（２０）と第１内箱部側面部から連設された内箱部糊代部（４９）とを有し、内箱部糊代部、第１内箱部側面部、第２内箱部側面部、第３内箱部側面部、第４内箱部側面部の順に連設され、内箱部を箱状に組み立てた状態では、互いに隣接する側面部が略直角をなす内側スリーブ状部で、第２内箱部側面部と第３内箱部側面部のいずれかである特定内箱部側面部（１０）の両側に隣接する内箱部側面部（２０、３０）において、内箱部側面部の一部が分離部（２４、３４）として内箱部側面部における分離部以外の部分である内箱部側面部本体部と切目線を介して分離可能に形成された内側スリーブ状部（５）と、内側スリーブ状部の下端から連設され、ワンタッチ底により形成された底面部で、第１内箱部側面部の下辺から連設された第１底面片部（８０）と、第２内箱部側面部の下辺から連設された第２底面片部（６０）と、第３内箱部側面部の下辺から連設された第３底面片部（７０）と、第４内箱部側面部の下辺から連設された第４底面片部（９０）とを有する底面部（５０）と、特定内箱部側面部の底面部とは反対側の辺部から折れ線を介して連設された保持部で、特定内箱部側面部の上辺から折れ線を介して連設された保持部本体（１１０）と、保持部本体の特定内箱部側面部とは反対側の辺部から折れ線を介して連設された脚部（１２０）とを有し、保持部本体には、被収納物を保持するための保持手段（１１３）が設けられた保持部（１００）と、を有し、底面部がワンタッチ底により形成されていて、第１底面片部と第２底面片部のいずれか一方における他方の側の部分である第１端部領域（８４）が折れ線を介して折曲げ可能であり、該第１端部領域が第１底面片部と第２底面片部の他方に接着され、第３底面片部と第４底面片部のいずれか一方における他方の側の部分である第２端部領域（７４）が折れ線を介して折曲げ可能であり、該第２端部領域が第３底面片部と第４底面片部の他方に接着され、外箱部が、第１内箱部側面部の外側の面に沿って形成された第１外箱部側面部（２４０）と、第２内箱部側面部の外側の面に沿って形成された第２外箱部側面部（２３０）と、第３内箱部側面部の外側の面に沿って形成された第３外箱部側面部（２１０）と、第４内箱部側面部の外側の面に沿って形成された第４外箱部側面部（２２０）と、第４外箱部側面部から連設された外箱部糊代部（２４２）とを有し、第１外箱部側面部、第２外箱部側面部、第３外箱部側面部、第４外箱部側面部、外箱部糊代部の順に連設され、外箱部を箱状に組み立てた状態では、互いに隣接する側面部が略直角をなす外側スリーブ状部と、４つの外箱部側面部において特定内箱部側面部に対応する外箱部側面部である特定外箱部側面部（２１０）の上端から折れ線を介して連設された蓋部（２６０）とを有し、内箱部における分離部が設けられた内箱部側面部である分離部形成内箱部側面部に対応した外箱部側面部に分離部が接着され、外箱部側面部における分離部が接着された領域を含む片部である回動片部（２２４、２３４）が分離部が接着された外箱部側面部の他の部分に対して回動可能に形成され、特定外箱部側面部と蓋部からなる領域内には、保持部に保持された被収納物を外部から視認するための窓部（Ｍ）が形成され、特定外箱部側面部の一方の側に隣接する外箱部側面部（２２０）と特定外箱部側面部間の折れ線である第１折れ線（Ｃ２３）における上端から下端までの第１途中位置（Ｗ１）から上端まで第１切目線（Ｋ２１２）が形成されるとともに、特定外箱部側面部の他方の側に隣接する外箱部側面部（２３０）と特定外箱部側面部間の折れ線である第２折れ線（Ｃ２２）における上端から下端までの第２途中位置（Ｗ２）から上端まで第２切目線（Ｋ２１４）が形成され、第１途中位置と第２途中位置を結ぶ方向が特定外箱部側面部と蓋部間の折れ線と平行であり、特定外箱部側面部には、特定外箱部側面部と蓋部間の折れ線と平行な折曲げ用の罫線（Ｃ２１０、Ｃ２１２）が第１途中位置と第２途中位置の間に第１途中位置と第２途中位置を結ぶ方向に形成され、第１切目線と第２切目線を切断することにより、外側正面部が折曲げ用の罫線を介して折曲げ可能となり、保持部を組み立てた状態では、保持部本体が内側正面部に対して背面側に折り曲げられているとともに、脚部が、内側背面部の内側の面に沿った状態となり、回動片部を外側に回動させることにより分離部と内箱部側面部本体部間の切目線が切断されて分離部が回動片部に接着した状態で内箱部から分離する包装箱の製造方法であって、
展開状態の外箱部に展開状態の内箱部を接着する第１接着工程であって、第１外箱部側面部に第１内箱部側面部を重ね、第２外箱部側面部に第２内箱部側面部を重ね、第３外箱部側面部に第３内箱部側面部を重ね、第４外箱部側面部に第４内箱部側面部を重ねた状態で、外箱部の回動片部と内箱部の分離部を接着させる第１接着工程と、
第１底面片部と第２底面片部が内側スリーブ状部に対して折り返され第１端部領域が外側に折り返されていて、第１端部領域と、第１底面片部と第２底面片部の他方における該第１端部領域が接着する領域のいずれかに接着剤が塗布された状態で、外箱部の第１外箱部側面部を第２外箱部側面部に対して折り返すことにより、第１端部領域と第１底面片部と第２底面片部の他方を接着させる第２接着工程と、
外箱部糊代部と第１外箱部側面部における外箱部糊代部が接着する領域のいずれかと、内箱部糊代部と第４内箱部側面部における内箱部糊代部が接着する領域のいずれかとに接着剤が塗布されているとともに、第３底面片部と第４底面片部が内側スリーブ状部に対して折り返され第２端部領域が外側に折り返されていて、第２端部領域と、第３底面片部と第４底面片部の他方における第２端部領域が接着する領域とのいずれかに接着剤が塗布された状態で、外箱部の第４外箱部側面部を第３外箱部側面部に対して折り返すことにより、外箱部糊代部と第１外箱部側面部とを接着し、内箱部糊代部と第４内箱部側面部とを接着し、第２端部領域と、第３底面片部と第４底面片部の他方とを接着する第３接着工程と、を有することを特徴とする包装箱の製造方法。
【請求項１１】
第１接着工程と第２接着工程の間に、第１底面片部を第１内箱部側面部に対して折り返し、第２底面片部を第２内箱部側面部に対して折り返し、第３底面片部を第３内箱部側面部に対して折り返し、第４底面片部を第４内箱部側面部に対して折り返すとともに、第１端部領域と第２端部領域を外側に折り返す折返し工程と、第１端部領域と、第１底面片部と第２底面片部の他方における該第１端部領域が接着する領域のいずれかに接着剤を塗布する接着剤塗布工程とを有し、
第２接着工程と第３接着工程の間に、外箱部糊代部と第１外箱部側面部における外箱部糊代部が接着する領域のいずれかと、内箱部糊代部と第４内箱部側面部における内箱部糊代部が接着する領域のいずれかと、第２端部領域と、第３底面片部と第４底面片部の他方における第２端部領域が接着する領域とのいずれかに接着剤を塗布する第２接着剤塗布工程とを有することを特徴とする請求項１０に記載の包装箱の製造方法。
【請求項１２】
保持部が、保持部本体の特定内箱部側面部側の辺部に隣接する両側の辺部から折れ線を介して連設されたフラップ部で、保持部を組み立てた状態では、保持部本体に対して下方に折り曲げられた状態となるフラップ部（１３０、１４０）を有し、内箱部の展開状態において、該フラップ部は、特定内箱部側面部の両側に隣接する内箱部側面部である隣接内箱部側面部（２０、３０）と特定内箱部側面部間の折れ線（Ｃ２、Ｃ３）の延長線よりも突出して形成され、
第２接着工程又は第３接着工程において、隣接内箱部側面部を特定内箱部側面部に対して折り返した際に、折り返した隣接内箱部側面部側のフラップ部（１３０）が、折り返した隣接内箱部側面部に対応した外箱部側面部に押されることにより、保持部本体に対して折り返されることを特徴とする請求項１０又は１１に記載の包装箱の製造方法。
【発明の詳細な説明】
【技術分野】
【０００１】
本発明は、包装箱に関するものであり、特に、植木鉢入りの花を収納及び陳列することができる包装箱とその製造方法に関するものである。
【背景技術】
【０００２】
従来より、鉢植えの花を収納して輸送するための箱として、特許文献１に記載の鉢植え輸送箱が存在する。
【０００３】
特許文献１の鉢植え輸送箱は、外装箱２０と、外装箱２０に収納される挿入台１０とを有し、挿入台１０は、筒体１１に頂壁１２を設けて構成され、頂壁１２には、鉢を収納するための挿入開口部が設けられている。また、外装箱２０は、筒部材２１に蓋部材２２と底壁部材２５を設けて構成され、筒部材２１には、窓部２３が形成されている。また、外装箱２０には、挿入台１０に組付いて外装箱２０に固定するための固定片２４が設けられている。なお、外装箱２０には、鉢植えを外から視覚するための窓部２３が設けられている。
【０００４】
また、特許文献２の従来例には、植物収容箱１００が開示され、この植物収容箱１００は、ダンボール箱１０１と、ダンボール箱１０１に設置される中仕切１０２とを有し、中仕切１０２においては、棚部１０２ｄの四方に片部１０２ｂが設けられ、棚部１０２ｄには、鉢を嵌合させる孔が設けられている。
【０００５】
また、出願人は、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有し、外箱部の片部を外側に回動することにより分離部が片部に接着した状態のまま内箱部から分離し、その後、外箱部を上方に引き上げることにより、内箱部に収納された状態の商品を陳列することができる包装箱として、特許文献３及び特許文献４に示す先行技術文献についての出願を行っている。
【先行技術文献】
【特許文献】
【０００６】
【特許文献１】特開２００５−３１３９２１号公報
【特許文献２】特開平１０−１２９７６９号公報
【特許文献３】実用新案登録第３１３９９４８号公報
【特許文献４】特開２０１６−７４４７８号公報
【発明の概要】
【発明が解決しようとする課題】
【０００７】
しかし、特許文献２の従来例として記載された植物収容箱１００においては、中仕切１０２が４つの片部１０２ｂを棚部１０２ｄに対して折り曲げただけの構成であり、中仕切１０２単独では鉢植えの花を収納する機能を有しないことから、植物収容箱１００からダンボール箱１０１を除いた状態で、中仕切と鉢植えの花により鑑賞可能な状態にすることはできない。
【０００８】
また、特許文献１の鉢受け輸送箱においては、挿入台１０が筒体１１に頂壁１２を設けて構成されたものであり、また、特許文献１の段落［００１３］には、挿入台１０の底面に底壁を設けることもできるとあることから、挿入台１０単独で鉢植えの花を収納することができるので、鉢植え輸送箱から外装箱２０を除いて、鉢植えの花が挿入台１０に収納された状態で鑑賞可能な状態にすることは一応は可能であるが、挿入台１０を外装箱２０に固定させるための固定片２４が設けられていて、挿入台１０を外装箱２０から取り出すには、この固定片２４による固定を解除しなければならず、また、鉢植えの花と挿入台１０を外装箱２０から取り出すには、外装箱２０の蓋部材２２を開けた状態で、鉢植えの花と挿入台１０を上方に持ち上げる必要があり、実際には、鉢受けの花を取り出した後に挿入台１０を取り出すことになり、鉢植えの花と挿入台１０を同時に取り出すことができない。つまり、特許文献１の鉢植え輸送箱においては、外装箱２０に窓部２３が設けられているので、外装箱２０の状態で鉢植えを鑑賞可能にすることができるが、外装箱２０を除いた状態で鉢植えを鑑賞可能な状態にするには、手間が掛かり容易ではない。
【０００９】
また、特許文献３、特許文献４の包装箱は、外箱部が設けられている状態で商品を陳列・鑑賞することはできない。
【００１０】
そこで、本発明は、箱状の外側構成部と、外側構成部の内側に設けられ鉢植えの花等の被収納物を収納するための内側構成部とを有する包装箱で、包装箱の状態で被収納物を鑑賞可能にするとともに、包装箱から外側構成部を除いた状態で被収納物を鑑賞可能とすることができ、外側構成部を除いて鑑賞可能にする操作を容易に行なうことができる包装箱を提供することが目的とするものである。
【課題を解決するための手段】
【００１１】
本発明は上記問題点を解決するために創作されたものであって、第１には、包装箱であって、内箱部（Ａ）と外箱部（Ｂ）とを有し、内箱部と外箱部が、それぞれシート状のブランクにより形成され、内箱部が、底面部（５０）と、底面部から連設された内側スリーブ状部で、内側正面部（１０）と、内側右側面部（２０）と、内側左側面部（３０）と、内側背面部（４０）とを有する内側スリーブ状部（５）と、内側正面部から連設された保持部で、内側正面部の上辺から折れ線を介して連設された保持部本体（１１０）と、保持部本体の内側正面部とは反対側の辺部から折れ線を介して連設された脚部（１２０）とを有し、保持部本体には、被収納物（商品としてもよい。他においても同じ）を保持するための保持手段（１１３）が設けられた保持部（１００）と、を有し、内側右側面部において、内側右側面部の一部が第１分離部（２４）として第１分離部以外の部分である内側右側面部本体部（２２）と第１切目線（２４ａ）を介して分離可能に形成され、内側左側面部において、内側左側面部の一部が第２分離部（３４）として第２分離部以外の部分である内側左側面部本体部（３２）と第２切目線（３４ａ）を介して分離可能に形成され、外箱部が、内箱部の外側の面に沿って設けられた外側スリーブ状部で、内箱部の内側正面部の外側の面に沿って形成された外側正面部（２１０）と、内側右側面部の外側の面に沿って形成された外側右側面部（２２０）と、内側左側面部の外側の面に沿って形成された外側左側面部（２３０）と、内側背面部の外側の面に沿って形成された外側背面部（２４０）とを有する外側スリーブ状部（２０５）と、外側正面部の上辺から折れ線を介して連設された蓋部（２６０）と、を有し、外側右側面部に第１分離部が接着され、外側右側面部における第１分離部が接着された領域を含む（「外側右側面部における第１分離部が接着された領域を含み切目線（２２２）を介して形成された」としてもよい）第１回動片部（２２４）が外側右側面部の他の部分に対して回動可能に形成されるとともに、外側左側面部に第２分離部が接着され、外側左側面部における第２分離部が接着された領域を含む（「外側左側面部における第２分離部が接着された領域を含み切目線（２３２）を介して形成された」としてもよい）第２回動片部（２３４）が外側左側面部の他の部分に対して回動可能に形成され、外側正面部と蓋部からなる領域内には、保持部に保持された被収納物を外部から視認するための窓部（Ｍ）が形成され、保持部を組み立てた状態では、保持部本体が内側正面部に対して背面側に折り曲げられているとともに、脚部が、内側背面部の内側の面に沿った状態となり（「内側背面部の内側の面に沿った状態で内側背面部の内側の面に接し」としてもよい）、第１回動片部を外側に回動させることにより第１切目線が切断されて第１分離部が第１回動片部に接着した状態で内箱部から分離し、第２回動片部を外側に回動させることにより第２切目線が切断されて第２分離部が第２回動片部に接着した状態で内箱部から分離することを特徴とする。
【００１２】
第１の構成の包装箱においては、保持部の保持部本体に設けられた保持手段により被収納物を保持する。外箱部には、窓部が設けられているので、包装箱の状態でも被収納物を鑑賞することができる。また、第１回動片部を外側に回動させて第１分離部を内箱部から分離し、第２回動片部を外側に回動させて第２分離部を内箱部から分離することにより、外箱部を取り外すことができ、外箱部を取り外すことにより、保持部に被収納物が保持された内箱部が残るので、外箱部を除いた状態で被収納物を鑑賞することができる。また、第１回動片部と第２回動片部を外側に回動させて外箱部を引き上げるのみで外箱部を取り除くことができるので、外箱部を除いて被収納物を鑑賞可能にする操作を容易に行なうことができる。
【００１３】
また、第２には、上記第１の構成において、外側正面部と外側右側面部間の折れ線である第１折れ線（Ｃ２３）における上端から下端までの第１途中位置（Ｗ１）から上端まで第３切目線（Ｋ２１２）が形成されるとともに、外側正面部と外側左側面部間の折れ線である第２折れ線（Ｃ２２）における上端から下端までの第２途中位置（Ｗ２）から上端まで第４切目線（Ｋ２１４）が形成され、第１途中位置と第２途中位置を結ぶ方向が外側正面部と蓋部間の折れ線（Ｃ２５）と平行であり、外側正面部には、外側正面部と蓋部間の折れ線と平行な折曲げ用の罫線（Ｃ２１０、Ｃ２１２）が、第１途中位置と第２途中位置の間に第１途中位置と第２途中位置を結ぶ方向に形成され、第３切目線と第４切目線を切断することにより、外側正面部が折曲げ用の罫線を介して折曲げ可能となることを特徴とする。
【００１４】
第２の構成によれば、第３切目線と第４切目線を切断することにより、外側正面部が折曲げ用の罫線を介して折曲げ可能となるので、外側正面部の上側の領域を該罫線を介して外側に下側の領域に対して外側に回動することにより、外側正面部の上側を開放することができ、保持部を組み立てたり、組み立てた保持部に被収納物を保持させるのが容易となる。
【００１５】
また、第３には、上記第１又は第２の構成において、保持部本体には、内側正面部とは反対側に突状部（１１４、１１６）が設けられ、内側背面部には、突状部が係止するための穴部（４４、４６）が設けられていることを特徴とする。よって、突状部を穴部に係止させることにより、保持部本体が上方に回動して浮き上がるのを防止することができる。
【００１６】
また、第４には、上記第１から第３までのいずれかの構成において、窓部は、外側正面部と蓋部からなる領域内に形成された窓用開口部（Ｋ２６２）と、窓用開口部を被覆するシート状部材で、透明性を有し、収納された被収納物を包装箱の外部から視認可能なシート状部材（ＴＳ）とを有することを特徴とする。よって、収納された被収納物を外部から視認するとともに、包装箱で収納された状態で保護することができる。
【００１７】
また、第５には、上記第１から第４までのいずれかの構成において、内箱部の内側右側面部と内側左側面部と内側背面部における少なくともいずれかには第１通気口（２８、３８）が設けられ、外箱部には、第１通気口と連通する第２通気口（２２８、２３８）が設けられていることを特徴とする。よって、第１通気口と第２通気口により、収納された鉢植えの花に空気を供給することができる。
【００１８】
また、第６には、上記第１から第５までのいずれかの構成において、蓋部が、外側正面部の上辺から折れ線を介して連設された蓋本体（２６２）と、蓋本体の外側正面部とは反対側の辺部から折れ線を介して連設された蓋フラップ（２６４）とを有し、蓋フラップを外側背面部の内側に差し込むことにより蓋部が閉じられることを特徴とする。
【００１９】
また、第７には、上記第１から第６までのいずれかの構成において、保持部が、保持部本体の右側面側の辺部から折れ線を介して連設された第１フラップ部（１３０）と、保持部本体の左側面側の辺部から折れ線を介して連設された第２フラップ部（１４０）とを有し、保持部を組み立てた状態では、第１フラップ部が保持部本体に対して下方に折り曲げられ、第２フラップ部が保持部本体に対して下方に折り曲げられていることを特徴とする。
【００２０】
また、第８には、上記第１から第７までのいずれかの構成において、底面部が、ワンタッチ底により形成され、内側左側面部の下辺から連設された底面部第１片部（６０）と、内側正面部の下辺から連設された底面部第２片部（７０）と、内側背面部の下辺から連設された底面部第３片部（８０）と、内側右側面部の下辺から連設された底面部第４片部（９０）とを有し、底面部第１片部と底面部第２片部と底面部第３片部と底面部第４片部における隣接する２つの片部である底面部第１片部対の一方における他方の側の部分である第１端部領域（８４）が折れ線を介して折曲げ可能であり、該第１端部領域が底面部第１片部対における他方に接着され、底面部第１片部と底面部第２片部と底面部第３片部と底面部第４片部における底面部第１片部対以外の互いに隣接する２つの片部である底面部第２片部対の一方における他方の側の部分である第２端部領域（７４）が折れ線を介して折曲げ可能であり、該第２端部領域が底面部第２片部対における他方に接着されていることを特徴とする。
【００２１】
また、第９には、上記第１から第８までのいずれかの構成において、保持部本体における保持手段が、被収納物を収容するための開口部（１１３ａ）又は被収納物を収容するための開口部を形成するための切目線で切込み（１１３ｂ、１１３ｃ）又は切断予定線からなる切目線を有することを特徴とする。
【００２２】
また、第１０には、包装箱であって、内箱部（Ａ）と外箱部（Ｂ）とを有し、内箱部と外箱部が、それぞれシート状のブランクにより形成され、内箱部が、第１内箱部側面部（４０）と第２内箱部側面部（３０）と第３内箱部側面部（１０）と第４内箱部側面部（２０）と第１内箱部側面部から連設された内箱部糊代部（４９）とを有し、内箱部糊代部、第１内箱部側面部、第２内箱部側面部、第３内箱部側面部、第４内箱部側面部の順に連設され、内箱部を箱状に組み立てた状態では、互いに隣接する側面部が略直角をなす内側スリーブ状部で、第２内箱部側面部と第３内箱部側面部のいずれかである特定内箱部側面部（１０）の両側に隣接する内箱部側面部（２０、３０）において、内箱部側面部の一部が分離部（２４、３４）として内箱部側面部における分離部以外の部分である内箱部側面部本体部と切目線を介して分離可能に形成された内側スリーブ状部（５）と、内側スリーブ状部の下端から連設され、ワンタッチ底により形成された底面部で、第１内箱部側面部の下辺から連設された第１底面片部（８０）と、第２内箱部側面部の下辺から連設された第２底面片部（６０）と、第３内箱部側面部の下辺から連設された第３底面片部（７０）と、第４内箱部側面部の下辺から連設された第４底面片部（９０）とを有する底面部（５０）と、特定内箱部側面部の底面部とは反対側の辺部から折れ線を介して連設された保持部で、特定内箱部側面部の上辺から折れ線を介して連設された保持部本体（１１０）と、保持部本体の特定内箱部側面部とは反対側の辺部から折れ線を介して連設された脚部（１２０）とを有し、保持部本体には、被収納物を保持するための保持手段（１１３）が設けられた保持部（１００）と、を有し、底面部がワンタッチ底により形成されていて、第１底面片部と第２底面片部のいずれか一方における他方の側の部分である第１端部領域（８４）が折れ線を介して折曲げ可能であり、該第１端部領域が第１底面片部と第２底面片部の他方に接着され、第３底面片部と第４底面片部のいずれか一方における他方の側の部分である第２端部領域（７４）が折れ線を介して折曲げ可能であり、該第２端部領域が第３底面片部と第４底面片部の他方に接着され、外箱部が、第１内箱部側面部の外側の面に沿って形成された第１外箱部側面部（２４０）と、第２内箱部側面部の外側の面に沿って形成された第２外箱部側面部（２３０）と、第３内箱部側面部の外側の面に沿って形成された第３外箱部側面部（２１０）と、第４内箱部側面部の外側の面に沿って形成された第４外箱部側面部（２２０）と、第４外箱部側面部から連設された外箱部糊代部（２４２）とを有し、第１外箱部側面部、第２外箱部側面部、第３外箱部側面部、第４外箱部側面部、外箱部糊代部の順に連設され、外箱部を箱状に組み立てた状態では、互いに隣接する側面部が略直角をなす外側スリーブ状部と、４つの外箱部側面部において特定内箱部側面部に対応する外箱部側面部である特定外箱部側面部（２１０）の上端から折れ線を介して連設された蓋部（２６０）とを有し、内箱部における分離部が設けられた内箱部側面部である分離部形成内箱部側面部に対応した外箱部側面部に分離部が接着され、外箱部側面部における分離部が接着された領域を含む片部である回動片部（２２４、２３４）が分離部が接着された外箱部側面部の他の部分に対して回動可能に形成され、特定外箱部側面部と蓋部からなる領域内には、保持部に保持された被収納物を外部から視認するための窓部（Ｍ）が形成され、特定外箱部側面部の一方の側に隣接する外箱部側面部（２２０）と特定外箱部側面部間の折れ線である第１折れ線（Ｃ２３）における上端から下端までの第１途中位置（Ｗ１）から上端まで第１切目線（Ｋ２１２）が形成されるとともに、特定外箱部側面部の他方の側に隣接する外箱部側面部（２３０）と特定外箱部側面部間の折れ線である第２折れ線（Ｃ２２）における上端から下端までの第２途中位置（Ｗ２）から上端まで第２切目線（Ｋ２１４）が形成され、第１途中位置と第２途中位置を結ぶ方向が特定外箱部側面部と蓋部間の折れ線と平行であり、特定外箱部側面部には、特定外箱部側面部と蓋部間の折れ線と平行な折曲げ用の罫線（Ｃ２１０、Ｃ２１２）が第１途中位置と第２途中位置の間に第１途中位置と第２途中位置を結ぶ方向に形成され、第１切目線と第２切目線を切断することにより、外側正面部が折曲げ用の罫線を介して折曲げ可能となり、保持部を組み立てた状態では、保持部本体が内側正面部に対して背面側に折り曲げられているとともに、脚部が、内側背面部の内側の面に沿った状態となり（「内側背面部の内側の面に沿った状態で内側背面部の内側の面に接し」としてもよい）、回動片部を外側に回動させることにより分離部と内箱部側面部本体部間の切目線が切断されて分離部が回動片部に接着した状態で内箱部から分離する包装箱の製造方法であって、展開状態の外箱部に展開状態の内箱部を接着する第１接着工程であって、第１外箱部側面部に第１内箱部側面部を重ね、第２外箱部側面部に第２内箱部側面部を重ね、第３外箱部側面部に第３内箱部側面部を重ね、第４外箱部側面部に第４内箱部側面部を重ねた状態で、外箱部の回動片部と内箱部の分離部を接着させる第１接着工程と、第１底面片部と第２底面片部が内側スリーブ状部に対して折り返され第１端部領域が（第１底面片部と第２底面片部の一方における第１端部領域以外の部分に対して）外側に折り返されていて、第１端部領域と、第１底面片部と第２底面片部の他方における該第１端部領域が接着する領域のいずれかに接着剤が塗布された状態で、外箱部の第１外箱部側面部を第２外箱部側面部に対して折り返すことにより、第１端部領域と第１底面片部と第２底面片部の他方を接着させる第２接着工程と、外箱部糊代部と第１外箱部側面部における外箱部糊代部が接着する領域のいずれかと、内箱部糊代部と第４内箱部側面部における内箱部糊代部が接着する領域のいずれかとに接着剤が塗布されているとともに、第３底面片部と第４底面片部が内側スリーブ状部に対して折り返され第２端部領域が（第３底面片部と第４底面片部の一方における第２端部領域以外の部分に対して）外側に折り返されていて、第２端部領域と、第３底面片部と第４底面片部の他方における第２端部領域が接着する領域とのいずれかに接着剤が塗布された状態で、外箱部の第４外箱部側面部を第３外箱部側面部に対して折り返すことにより、外箱部糊代部と第１外箱部側面部とを接着し、内箱部糊代部と第４内箱部側面部とを接着し、第２端部領域と、第３底面片部と第４底面片部の他方とを接着する第３接着工程と、を有することを特徴とする。
【００２３】
よって、製造された包装箱においては、保持部の保持部本体に設けられた保持手段により被収納物を保持する。外箱部には、窓部が設けられているので、包装箱の状態でも被収納物を鑑賞することができる。また、第１回動片部を外側に回動させて第１分離部を内箱部から分離し、第２回動片部を外側に回動させて第２分離部を内箱部から分離することにより、外箱部を取り外すことができ、外箱部を取り外すことにより、保持部に被収納物が保持された内箱部が残るので、外箱部を除いた状態で被収納物を鑑賞することができる。また、第１回動片部と第２回動片部を外側に回動させて外箱部を引き上げるのみで外箱部を取り除くことができるので、外箱部を除いて被収納物を鑑賞可能にする操作を容易に行なうことができる。
【００２４】
また、特定外箱部側面部の両側に第１切目線と第２切目線が設けられているので、第１切目線と第２切目線を切断することにより、外側正面部が折曲げ用の罫線を介して折曲げ可能となるので、外側正面部の上側の領域を該罫線を介して外側に下側の領域に対して外側に回動することにより、外側正面部の上側を開放することができ、保持部を組み立てたり、組み立てた保持部に被収納物を保持させるのが容易となる。特に、包装箱が製造された段階では、保持部本体や脚部は上方に伸びた状態となっているので、外側正面部の上側を開放することにより、保持部の組立てが容易となる。
【００２５】
また、第１１には、上記第１０の構成において、第１接着工程と第２接着工程の間に、第１底面片部を第１内箱部側面部に対して折り返し、第２底面片部を第２内箱部側面部に対して折り返し、第３底面片部を第３内箱部側面部に対して折り返し、第４底面片部を第４内箱部側面部に対して折り返すとともに、第１端部領域と第２端部領域を外側に折り返す折返し工程と、第１端部領域と、第１底面片部と第２底面片部の他方における該第１端部領域が接着する領域のいずれかに接着剤を塗布する接着剤塗布工程とを有し、第２接着工程と第３接着工程の間に、外箱部糊代部と第１外箱部側面部における外箱部糊代部が接着する領域のいずれかと、内箱部糊代部と第４内箱部側面部における内箱部糊代部が接着する領域のいずれかと、第２端部領域と、第３底面片部と第４底面片部の他方における第２端部領域が接着する領域とのいずれかに接着剤を塗布する第２接着剤塗布工程とを有することを特徴とする。
【００２６】
また、第１２には、上記第１０又は第１１の構成において、保持部が、保持部本体の特定内箱部側面部側の辺部に隣接する両側の辺部から折れ線を介して連設されたフラップ部で、保持部を組み立てた状態では、保持部本体に対して下方に折り曲げられた状態となるフラップ部（１３０、１４０）を有し、内箱部の展開状態において、該フラップ部は、特定内箱部側面部の両側に隣接する内箱部側面部である隣接内箱部側面部（２０、３０）と特定内箱部側面部間の折れ線（Ｃ２、Ｃ３）の延長線よりも突出して形成され、第２接着工程又は第３接着工程において、隣接内箱部側面部を特定内箱部側面部に対して折り返した際に、折り返した隣接内箱部側面部側のフラップ部（１３０）が、折り返した隣接内箱部側面部に対応した外箱部側面部に押されることにより、保持部本体に対して折り返されることを特徴とする。
【００２７】
よって、２つのフラップ部における一方のフラップ部は、折り返した隣接内箱部側面部に対応した外箱部側面部に押されて、保持部本体に対して折り返されるので、フラップ部を保持部本体に対して折り曲げる操作をしなくても、保持部を組み立てる際に、該フラップ部が、隣接内箱部側面部に接触して保持部の組立ての邪魔になることがない。
【発明の効果】
【００２８】
本発明に基づく包装箱及び包装箱の製造方法によれば、保持部の保持部本体に設けられた保持手段により被収納物を保持する。外箱部には、窓部が設けられているので、包装箱の状態でも被収納物を鑑賞することができる。また、第１回動片部を外側に回動させて第１分離部を内箱部から分離し、第２回動片部を外側に回動させて第２分離部を内箱部から分離することにより、外箱部を取り外すことができ、外箱部を取り外すことにより、保持部に被収納物が保持された内箱部が残るので、外箱部を除いた状態で被収納物を鑑賞することができる。また、第１回動片部と第２回動片部を外側に回動させて外箱部を引き上げるのみで外箱部を取り除くことができるので、外箱部を除いて被収納物を鑑賞可能にする操作を容易に行なうことができる。
【００２９】
特に、包装箱の製造方法によれば、特定外箱部側面部の両側に第１切目線と第２切目線が設けられているので、第１切目線と第２切目線を切断することにより、外側正面部が折曲げ用の罫線を介して折曲げ可能となるので、外側正面部の上側の領域を該罫線を介して外側に下側の領域に対して外側に回動することにより、外側正面部の上側を開放することができ、保持部を組み立てたり、組み立てた保持部に被収納物を保持させるのが容易となる。特に、包装箱が製造された段階では、保持部本体や脚部は上方に伸びた状態となっているので、外側正面部の上側を開放することにより、保持部の組立てが容易となる。
【図面の簡単な説明】
【００３０】
【図１】包装箱の前方斜視図である。
【図２】包装箱の後方斜視図である。
【図３】包装箱の底面図である。
【図４】包装箱の内箱部の構成を示す前方斜視図である。
【図５】包装箱の内箱部の構成を示す後方斜視図である。
【図６】包装箱における内箱部の展開図である。
【図７】包装箱における外箱部の展開図である。
【図８】包装箱の製造工程を示す説明図である。
【図９】包装箱の製造工程を示す説明図である。
【図１０】包装箱の製造工程を示す説明図である。
【図１１】包装箱の製造工程を示す説明図である。
【図１２】包装箱の製造工程を示す説明図である。
【図１３】包装箱の使用状態を示す斜視図である。
【図１４】包装箱の使用状態を示す斜視図である。
【図１５】包装箱の使用状態を示す斜視図である。
【図１６】包装箱の使用状態を示す斜視図である。
【図１７】包装箱の使用状態を示す斜視図である。
【図１８】内箱部の他の例を示す要部展開図である。
【発明を実施するための形態】
【００３１】
本発明においては、箱状の外側構成部と、外側構成部の内側に設けられ鉢植えの花等の被収納物を収納するための内側構成部とを有する包装箱で、包装箱の状態で被収納物を鑑賞可能にするとともに、包装箱から外側構成部を除いた状態で被収納物を鑑賞可能とすることができ、外側構成部を除いて鑑賞可能にする操作を容易に行なうことができる包装箱を提供するという目的を以下のようにして実現した。
【００３２】
本発明に基づく包装箱Ｐは、図１〜図７等に示すように構成され、内箱部Ａと、外箱部Ｂとを有していて、内箱部Ａと外箱部Ｂのそれぞれが１枚のシート状のブランク（具体的には段ボール（特に、両面段ボール）であり、厚紙等でもよい）により形成されている。なお、両面段ボールにおける中芯の段の方向は、図６、図７に示す円内に示す方向である。
【００３３】
内箱部Ａは、鉢を支持できる箱状を呈し、図３〜図６等に示すように、スリーブ状部（内側スリーブ状部）５と、底面部５０と、保持部１００とを有している。スリーブ状部５は、組立て状態では、底面部５０の周囲から立設して形成され、正面部（内側正面部、第３内箱部側面部）１０と、側面部（内側右側面部、第４内箱部側面部）２０と、側面部（内側左側面部、第２内箱部側面部）３０と、背面部（内側背面部、第１内箱部側面部）４０と、糊代部（内箱部糊代部）４９とを有していて、その展開状態は、図６に示すように形成されている。
【００３４】
ここで、正面部１０は、方形状を呈し、具体的には、横長長方形状を呈している。正面部１０の上下方向の長さＬ１０（折れ線Ｃ６と折れ線Ｃ９間の長さ）は、側面部２０、３０の上下方向の長さや背面部４０の上下方向の長さよりも短く形成されている。この正面部１０は、分離部２４が設けられた側面部２０と分離部３４が設けられた側面部３０間に設けられているので、「特定内箱部側面部」となる。
【００３５】
また、側面部２０は、正面部１０の正面視における右側の端部（つまり、右側面側の端部）から折れ線Ｃ４を介して連設され、方形状における正面上側の一部と背面上側の一部を切り欠いた形状を呈し、側面部２０の上辺は、正面部１０の上辺１０ａから連続して水平方向（側面部２０の下辺と平行な方向）に形成された直線状の辺部２０ａと、辺部２０ａの背面側の端部から連設され、円弧状（略円弧状としてもよい）に形成された辺部２０ｂと、辺部２０ｂの端部から連設され、上方に（側面部２０の下辺に対して直角方向に）形成された直線状の辺部２０ｃと、辺部２０ｃの上端から連設され、背面側に向けて円弧状（略円弧状としてもよい）に形成された辺部２０ｄと、辺部２０ｄの背面側の端部（該端部は上端でもある）から連設され、水平方向に直線状に形成された辺部２０ｅと、辺部２０ｅの背面側の端部から連設され、下方に向けて円弧状（略円弧状としてもよい）に形成された辺部２０ｆと、辺部２０ｆの下端（該下端は、背面側の端部でもある）から連設され、水平方向に形成された辺部２０ｇとを有している。
【００３６】
ここで、辺部２０ａ〜２０ｃにより側面部２０の正面上側の切欠き２０Ｋが形成され、この正面上側の切欠き２０Ｋは、内箱部Ａの展開状態でフラップ部１３０の領域を確保するために設けられている。また、辺部２０ｆ〜２０ｇにより側面部２０の背面上側の切欠き２１Ｋが形成され、この背面上側の切欠き２１Ｋは、外箱部Ｂの蓋フラップ２６４を外箱部Ｂの背面部２４０の内側に差し込む際に側面部２０が邪魔にならないように設けられている。つまり、辺部２０ｇの横方向の長さは、蓋フラップ２６４の厚みよりも長く形成されている。この側面部２０は、本体部（内側右側面部本体部）２２と、分離部（第１分離部）２４とを有している。
【００３７】
また、分離部２４は、側面部２０に形成された切目線（第１切目線）２４ａと開口部２４ｂにより区画された領域であり、切目線２４ａは、横方向に間隔を介して設けられた円弧状の切目線２４ａ−１、２４ａ−２（切目線２４ａ−１と切目線２４ａ−２とは互いに左右対称（側面部２０の下辺と直角方向の仮想直線を介して左右線対称）に形成されている）と、切目線２４ａ−１の下端と２４ａ−２の下端を結ぶ横方向（側面部２０の下辺と平行な方向）の直線状の切目線２４ａ−３とを有し、開口部２４ｂは、横長の長方形状を呈し、開口部２４ｂにおける一対の角部のうちの正面側の角部と切目線２４ａ−２が接続し、開口部２４ｂにおける一対の角部のうちの背面側の角部と切目線２４ａ−１が接続している。切目線２４ａと開口部２４ｂにより囲まれた領域が分離部２４となる。本体部２２は、側面部２０において分離部２４を除いた領域である。分離部２４は、側面部２０における横方向の略中央で上下方向における中央やや下側の位置に形成されている。切目線２４ａ−１、２４ａ−２、２４ａ−３は、ミシン目状の切目線である。ここで、ミシン目状の切目線とは、間隔をおきながら連続して形成された複数の切込みをいう（他においても同じ）。つまり、切目線２４ａ−１、２４ａ−２、２４ａ−３は、切断予定線である。
【００３８】
この分離部２４の形成位置は、外箱部Ｂの片部２２４の裏側の領域であり、分離部２４は片部２２４の裏側に接着され、片部２２４の上端を外側かつ下方に回動させることにより、分離部２４も片部２２４の裏側に接着したまま切目線２４ａが破断されて、分離部２４が本体部２２から分離するように形成されている。分離部２４は、片部２２４よりも小さく形成されていて、側面透視した際に、分離部２４の外形が片部２２４の外形よりもはみ出すことがない。
【００３９】
また、開口部２４ｂは、外箱部Ｂにおける片部２２６を押し込むことができるための空間として形成されていて、片部２２６を押し込む際の支障とならないように、開口部２４ｂは、片部２２６よりも大きく形成され、側面透視した際に、片部２２６が開口部２４ｂよりはみ出すことがない。
【００４０】
また、本体部２２には、通気口（第１通気口）２８が設けられている。この通気口２８は、円形を呈し、収納される鉢植えの花のための空気穴（空気を供給するための穴）であり、側面部２０の上側の領域に設けられていて、内箱部Ａが外箱部Ｂと接着された状態では、通気口２８は、通気口２２８と重なった状態となる。通気口２８の径は、通気口２２８の径よりも大きく形成されていて、内箱部Ａの内側から見た際に、通気口２２８の全ての領域が通気口２８の領域内に入るように形成されている。
【００４１】
また、側面部３０は、正面部１０の正面視における左側の端部（つまり、左側面側の端部）から折れ線Ｃ３を介して連設され、方形状における正面上側の一部と背面上側の一部を切り欠いた形状を呈し、背面側の端部においては、背面部４０の上端の縁部の高さと同じに形成されている。この側面部３０は、本体部（内側左側面部本体部）３２と、分離部（第２分離部）３４とを有している。
【００４２】
この側面部３０の構成は、内箱部Ａの組立て状態では、側面部２０と前後方向に垂直な仮想的な平面である中心面を介して対称に形成されている。つまり、内箱部Ａの展開状態において、側面部３０は、正面部１０の左右方向の中心を通る中心線を介して、側面部２０と左右線対称に形成されている。
【００４３】
すなわち、側面部３０の上辺は、正面部１０の上辺１０ａから連続して水平方向（側面部２０の下辺と平行な方向）に形成された直線状の辺部３０ａと、辺部３０ａの背面側の端部から連設され、円弧状（略円弧状としてもよい）に形成された辺部３０ｂと、辺部３０ｂの端部から連設され、上方に（側面部３０の下辺に対して直角方向に）形成された直線状の辺部３０ｃと、辺部３０ｃの上端から連設され、背面側に向けて円弧状（略円弧状としてもよい）に形成された辺部３０ｄと、辺部３０ｄの背面側の端部（該端部は上端でもある）から連設され、水平方向に直線状に形成された辺部３０ｅと、辺部３０ｅの背面側の端部から連設され、下方に向けて円弧状（略円弧状としてもよい）に形成された辺部３０ｆと、辺部３０ｆの下端（該下端は、背面側の端部でもある）から連設され、水平方向に形成された辺部３０ｇとを有している。内箱部Ａの展開状態においては、正面部１０の左右方向の中心を通る中心線を介して、辺部３０ａと辺部２０ａ、辺部３０ｂと辺部２０ｂ、辺部３０ｃと辺部２０ｃ、辺部３０ｄと辺部２０ｄ、辺部３０ｅと辺部２０ｅ、辺部３０ｆと辺部２０ｆ、辺部３０ｇと辺部２０ｇは、それぞれ線対称に形成されている。
【００４４】
ここで、辺部３０ａ〜３０ｃにより側面部２０の正面上側の切欠き３０Ｋが形成され、この正面上側の切欠き３０Ｋは、内箱部Ａの展開状態でフラップ部１４０の領域を確保するために設けられている。また、辺部３０ｆ〜３０ｇにより側面部３０の背面上側の切欠き３１Ｋが形成され、この背面上側の切欠き３１Ｋは、外箱部Ｂの蓋フラップ２６４を外箱部Ｂの背面部２４０の内側に差し込む際に側面部３０が邪魔にならないように設けられている。つまり、辺部３０ｇの横方向の長さは、蓋フラップ２６４の厚みよりも長く形成されている。
【００４５】
また、分離部３４は、切目線（第２切目線）３４ａと開口部３４ｂとにより区画された領域であり、切目線３４ａは、横方向に間隔を介して設けられた円弧状の切目線３４ａ−１、３４ａ−２と、切目線３４ａ−１の下端と３４ａ−２の下端を結ぶ横方向（側面部３０の下辺と平行な方向）の直線状の切目線３４ａ−３とを有し、開口部３４ｂは、横長の長方形状を呈し、開口部３４ｂにおける一対の角部のうちの正面側の角部と切目線３４ａ−２が接続し、開口部３４ｂにおける一対の角部のうちの背面側の角部と切目線３４ａ−１が接続している。切目線３４ａと開口部３４ｂにより囲まれた領域が分離部３４となる。本体部３２は、側面部３０において分離部３４を除いた領域である。分離部３４は、側面部３０における横方向の略中央で上下方向における中央やや上側の位置に形成されている。切目線３４ａ−１、３４ａ−２、３４ａ−３は、ミシン目状の切目線であり、切断予定線である。
【００４６】
この分離部３４の形成位置は、外箱部Ｂの片部２３４の裏側の領域であり、分離部３４は片部２３４の裏側に接着され、片部２３４の上端を外側かつ下方に回動させることにより、分離部３４も片部２３４の裏側に接着したまま切目線３４ａが破断されて、分離部３４が本体部３２から分離するように形成されている。分離部３４は、片部２３４よりも小さく形成されていて、側面透視した際に、分離部３４の外形が片部２３４の外形よりもはみ出すことがない。
【００４７】
また、開口部３４ｂは、外箱部Ｂにおける片部２３６を押し込むことができるための空間として形成されていて、片部２３６を押し込む際の支障とならないように、開口部３４ｂは、片部２３６よりも大きく形成され、側面透視した際に、片部２３６が開口部３４ｂよりはみ出すことがない。
【００４８】
また、本体部３２には、通気口（第１通気口）３８が設けられている。この通気口３８は、円形を呈し、収納される鉢植えの花のための空気穴（空気を供給するための穴）であり、側面部３０の上側の領域に設けられていて、内箱部Ａが外箱部Ｂと接着された状態では、通気口３８は、通気口２３８と重なった状態となる。通気口３８の径は、通気口２３８の径よりも大きく形成されていて、内箱部Ａの内側から見た際に、通気口２３８の全ての領域が通気口３８の領域内に入るように形成されている。
【００４９】
側面部２０には分離部２４が設けられ、側面部３０には分離部３４が設けられているので、側面部２０、３０は、「分離部形成内箱部側面部」となる。
【００５０】
また、背面部４０は、側面部３０の左側面視における左端（つまり、背面側の端部）から折れ線Ｃ２を介して連設され、全体には方形状を呈している。この背面部４０の横幅は、正面部１０の横幅と同一に形成され、背面部４０の縦幅（最大縦幅）は、側面部２０、３０の縦幅（最大縦幅）よりも短く形成されており、内箱部Ａが外箱部Ｂと接着された状態で、背面部４０の上辺が背面部２４０の上辺よりも下方となっていて、蓋フラップ２６４を背面部２４０の内側に差し込む際に、背面部４０が邪魔にならないようになっている。つまり、内箱部Ａが外箱部Ｂと接着された状態で、背面部２４０の上辺と背面部４０の上辺間の長さＬ２４０（図１３参照）は、蓋フラップ２６４の幅Ｌ２６４以上の長さとなっている。
【００５１】
また、背面部４０には、保持部本体１１０の突状部１１４、１１６が係止するための穴部４４、４６が設けられている。すなわち、穴部４４と穴部４６は、横長の長方形状を呈し、穴部４４は突状部１１４が嵌合する大きさに形成され、穴部４６は突状部１１６が嵌合する大きさに形成されている。穴部４４、４６の背面部４０における上下方向の位置は、脚部１２０の先端の辺部１２０ａが底面部５０（特に、第３片部８０）に接した状態で、突状部１１４、１１６が穴部４４、４６に係止する位置となっている。
【００５２】
また、糊代部４９は、背面部４０の背面視における左端（つまり、右側面側の端部）から折れ線Ｃ１を介して連設され、縦方向に細長の帯状台形形状を呈している。この糊代部４９は、その外側の面が側面部２０の内側の面（側面部２０の背面側の端部領域）に接着されている。
【００５３】
また、底面部５０は、いわゆるワンタッチ底であり、第１片部（底面部第１片部、第２底面片部）６０と、第２片部（底面部第２片部、第３底面片部）７０と、第３片部（底面部第３片部、第１底面片部）８０と、第４片部（底面部第４片部、第４底面片部）９０とを有し、包装箱Ｐの組立て状態においては、図３に示すように、略方形状の外形を呈している。
【００５４】
ここで、第１片部６０は、側面部３０の下辺から折れ線Ｃ５を介して連設され、先端側にいくほど幅狭となる略台形形状に形成され、その上面の一部が内箱部Ａの内底面の一部を形成している。この第１片部６０は、底面部５０の組立て状態においては、底面部５０の中心（底面部５０における４つの角部の仮想対角線が交差する点）を介して第４片部９０と点対称に形成されている。
【００５５】
また、第２片部７０は、正面部１０の下辺から折れ線Ｃ６を介して連設され、略長方形状に形成され、第２片部７０の上面の一部が内箱部Ａの内底面の一部を形成している。また、第２片部７０の角部（正面部１０と側面部２０の境界位置の下端）からは第２片部７０の正面部１０との境界をなす辺部に対して斜めに所定間隔で切込みが形成された（つまり、折曲しやすいように切込みが形成されている）折れ線７０−１（この折れ線７０−１は、上面側が山折れ線となっている）が形成され、内箱部Ａを折り畳む際に、容易に折り畳むことができるようになっている。第２片部７０は、折れ線７０−１を介して本体部７２と先端部（第２端部領域）７４とに区画される。本体部７２の先端の先端部７４側には、他方の本体部８２と互いに係止するように切欠部７２ａが形成されている。先端部７４の上面は、第４片部９０の下面に接着されている。
【００５６】
また、第３片部８０は、背面部４０の下辺から折れ線Ｃ７を介して連設され、底面部５０の組立て状態においては、第２片部７０と点対称に形成されている。すなわち、第３片部８０は、背面部４０の下端から折れ線を介して連設され、略長方形状に形成され、第３片部８０の上面の一部が内箱部Ａの内底面の一部を形成している。また、第３片部８０の角部（側面部３０と背面部４０の境界位置の下端）からは第３片部８０の背面部４０との境界をなす辺部に対して斜めに所定間隔で切込みが形成された（つまり、折曲しやすいように切込みが形成されている）折れ線８０−１（この折れ線８０−１は、上面側が山折れ線となっている）が形成され、内箱部Ａを折り畳む際に、容易に折り畳むことができるようになっている。第３片部８０は、折れ線８０−１を介して本体部８２と先端部（第１端部領域）８４とに区画される。本体部８２の先端の先端部８４側には、他方の本体部７２と互いに係止するように切欠部８２ａが形成されている。先端部８４の上面は、第１片部６０の下面に接着されている。
【００５７】
また、第４片部９０は、背面部４０の下端から折れ線Ｃ８を介して連設され、先端側にいくほど幅狭となる略台形形状に形成され、その上面の一部が内箱部Ａの内底面の一部を形成している。
【００５８】
以上のように、底面部５０において、隣接する２つの片部（第１片部６０と第３片部８０）である底面部第１片部対の一方における他方の側の部分である先端部（第２端部領域）８４が折れ線を介して折曲げ可能であり、該先端部（第１端部領域）８４が第１片部６０に接着され、他の隣接する２つの片部（第２片部７０と第４片部９０）である底面部第２片部対の一方における他方の側の部分である先端部（第１端部領域）７４が折れ線を介して折曲げ可能であり、該先端部７４が第４片部９０に接着されている。なお、包装箱Ｐにおいて、左右方向の長さが前後方向の長さよりも長いので、第２片部７０と第３片部８０が正面部１０と背面部４０から連設されているが、左右方向の長さが前後方向の長さよりも短い場合には、第２片部７０と第３片部８０を右側面部２０と左側面部３０から連設させてもよい。
【００５９】
また、保持部１００は、正面部１０の上辺から折れ線Ｃ９を介して連設された保持部本体１１０と、保持部本体１１０の正面部１０側とは反対側の辺部から折れ線Ｃ１０を介して連設された脚部１２０と、保持部本体１１０の右側面側の辺部から折れ線Ｃ１１を介して連設されたフラップ部（第１フラップ部）１３０と、保持部本体１１０の左側面側の辺部から折れ線Ｃ１２を介して連設されたフラップ部（第２フラップ部）１４０とを有している。
【００６０】
ここで、保持部本体１１０は、略方形状（略長方形）の外形を呈し、正面部１０とは反対側に突状部１１４、１１６を有している。つまり、保持部本体１１０は、長方形状の外形を有する本体部１１２と、本体部１１２から突出した突状部１１４、１１６とを有している。
【００６１】
本体部１１２の前後方向の長さＬ１１２ａ（折れ線Ｃ９と折れ線Ｃ１０間の長さ）は、内箱部Ａを組み立てた際に、脚部１２０が背面部４０の内側の面に接する長さに形成され、長さＬ１１２ａは、側面部３０の横方向の長さ（折れ線Ｃ２と折れ線Ｃ３間の長さ）よりも若干短く形成されている。また、本体部１１２の左右方向の長さＬ１１２ｂは、正面部１０の左右方向の長さよりも若干短く形成されている。
【００６２】
本体部１１２には、収容部（保持手段）１１３が設けられ、この収容部１１３は、円形の開口部１１３ａと、開口部１１３ａの辺部から放射状に形成された切込み１１３ｂと、折れ線Ｃ１３とを有し、切込み１１３ｂは、開口部１１３ａにおける中心から放射状に伸びていて、複数（具体的には、計１８本）の直線状の切込み１１３ｂが形成されている。隣接する切込み１１３ｂの外側の端部間には折れ線Ｃ１３が形成され、隣接する切込み１１３ｂと折れ線Ｃ１３により区画された片部ＨＢが、本体部１１２における収容部１１３以外の領域に対して折曲するように構成されている。
【００６３】
また、複数の切込み１１３ｂにおける隣接する切込み１１３ｂの先端間には、折曲げ用の罫線が形成されている。該罫線は、内箱部Ａを構成するシート状のブランクの内側となる面（図６の展開図に示される面とは反対側の面）から押圧した押罫により形成されている。この収容部１１３が、被収納物を保持するための保持手段となり、開口部１１３ａは、被収納物を収容するための開口部といえ、また、片部ＨＢを折曲することにより開口部の径が大きくなるので、切込み１１３ｂは、開口部を形成するための切込み（切込みからなる切目線）であるといえる。
【００６４】
また、突状部１１４、１１６は、細長長方形状を呈し、突状部１１４、１１６は、保持部１００の展開状態において、収容部１１３と脚部１２０間の境界位置に略コ字状の切込みを形成することにより形成されている。２つの略コ字状の切込みにおいて、該切込みの両側の端部から折れ線Ｃ１０が連設されている。内箱部Ａを組み立てた際には、突状部１１４は穴部４４に係止し、突状部１１６は穴部４６に係止する。
【００６５】
また、脚部１２０は、略方形状（略長方形状）を呈していて、具体的には、長方形状に突状部１１４、１１６を形成するための凹部と先端側の角部にアールを形成した形状を呈している。脚部１２０の先端側の辺部１２０ａは、折れ線Ｃ１０と平行に形成され、折れ線Ｃ１０と辺部１２０ａ間の長さＬ１２０は、正面部１０の上下方向の長さＬ１０（折れ線Ｃ６と折れ線Ｃ９間の長さ）と略同一であり、内箱部Ａを組み立てて、脚部１２０の先端の辺部１２０ａが底面部５０に接した状態で、保持部本体１１０が水平（底面部５０と平行）（略水平としてもよい）になるように、底面部５０の厚み（特に、第３片部８０の厚み）を考慮して、長さＬ１２０は、長さＬ１０よりも若干短く形成されている。
【００６６】
また、フラップ部１３０は、略台形形状を呈し、折れ線Ｃ１１に対して鋭角に傾斜した一対の辺部と、該一対の辺部の端部から連設され、折れ線Ｃ１１と平行な先端辺とを有している。フラップ部１３０における折れ線Ｃ１１と該先端辺間の長さは、脚部１２０の長さＬ１２０よりも短く形成されている。内箱部Ａの展開状態では、フラップ部１３０は、折れ線Ｃ４（隣接内箱部側面部と特定内箱部側面部間の折れ線）の延長線よりも突出している（つまり、側面部２０側に突出している）。
【００６７】
また、フラップ部１４０は、保持部１００の展開状態において、フラップ部１３０と左右線対称に形成されている。すなわち、フラップ部１４０は、略台形形状を呈し、折れ線Ｃ１２に対して鋭角に傾斜した一対の辺部と、該一対の辺部の端部から連設され、折れ線Ｃ１２と平行な先端辺とを有している。フラップ部１４０における折れ線Ｃ１２と該先端辺間の長さは、脚部１２０の長さＬ１２０よりも短く形成されている。内箱部Ａの展開状態では、フラップ部１４０は、折れ線Ｃ３（隣接内箱部側面部と特定内箱部側面部間の折れ線）の延長線よりも突出している（つまり、側面部３０側に突出している）。
【００６８】
保持部１００は、上記のように構成され、保持部１００は、展開状態において、保持部１００の左右方向の中心を通る中心線（折れ線Ｃ１０と直角な中心線）を介して左右線対称に形成されている。
【００６９】
なお、内箱部Ａにおいては、各折れ線に沿って予め折曲げ用の罫線が形成され、具体的には、内箱部Ａを構成するシート状のブランクの内側となる面（図７の展開図に示される面とは反対側の面）から押圧した押罫により形成されている。
【００７０】
内箱部Ａを箱状に組み立てた状態では、正面部１０と背面部４０とが互いに平行になり、側面部２０と側面部３０とが互いに平行になり、底面部５０を構成する各部材は、正面部１０、側面部２０、３０、背面部４０に対して略直角（直角でもよい）となる。つまり、スリーブ状部５は、底面部５０に対して略直角（直角でもよい）となる。また、スリーブ状部５を構成する各部材（正面部１０、側面部２０、３０、背面部４０）における隣接する部材は互いに直角となる。また、内箱部Ａを組み立てた状態（特に、保持部１００を組み立てた状態）では、突状部１１４、１１６が穴部４４、４６に係止するとともに、脚部１２０が第３片部８０に接した状態となり、保持部本体１１０は、底面部５０（正面部１０の下辺と側面部２０、３０の下辺と背面部４０の下辺により囲まれた仮想平面としてもよい）に対して平行（略平行としてもよい）となる。
【００７１】
また、内箱部Ａは、平板状に折り畳むことができ（図１１、図１２参照）、内箱部Ａにおいては、正面部１０と側面部２０との角度を小さくし（つまり、直角より小さくする）、背面部４０と側面部３０との角度を小さくさせる（つまり、直角より小さくする）ことにより、四角筒状のスリーブ状部５が扁平になるとともに、底面部５０を構成する各部がスリーブ状部５内に回動して、内箱部Ａが全体に平板状に折り畳むことができる。内箱部Ａを折り畳んだ状態では、底面部５０を構成する各部は、スリーブ状部５内にスリーブ状部５を構成する正面部１０、側面部２０、３０、背面部４０に対して略平行な状態となる。
【００７２】
次に、外箱部Ｂは、内箱部Ａを覆う箱体であり、図１〜図３、図７等に示すように、スリーブ状部（外側スリーブ状部）２０５と、蓋部２６０と、フラップ部２７０、２８０とを有していて、その展開状態は、図７に示すように形成されている。
【００７３】
ここで、スリーブ状部２０５は、組み立てた状態では、四角形状の筒状を呈し、正面部（外側正面部、第３側面部側面部）２１０と、側面部（外側右側面部、第４側面部側面部）２２０と、側面部（外側左側面部、第２外箱部側面部）２３０と、背面部（外側背面部、第１外箱部側面部）２４０と、糊代部（外箱部糊代部）２４２とを有している。
【００７４】
ここで、正面部２１０は、方形状の上側に切欠部Ｋ２１０を設けるとともに、下側に切欠部Ｋ２２０による切欠部と、開口部Ｋ２３０による切欠部を設けた形状を呈している。すなわち、切欠部Ｋ２１０は、一対の折れ線Ｃ２５における左側面側の折れ線Ｃ２５から上下方向に連設された直線状の辺部２１０ａと、折れ線Ｃ２５の方向と平行な直線状の辺部２１０ｂと、辺部２１０ａと平行で右側面側の折れ線Ｃ２５から連設された直線状の辺部２１０ｃとを有し、辺部２１０ａと辺部２１０ｂ間と辺部２１０ｃと辺部２１０ｂ間には、アールが形成されている。辺部２１０ａ、２１０ｃは、折れ線Ｃ２５に対して直角をなしている。また、辺部２１０ｂと正面部２１０の下辺間の長さＬ２１０は、折れ線Ｃ２５と正面部２１０の下辺間の長さの半分以下であるとともに、正面部１０における長さＬ１０以上の長さとなっている。なお、正面部２１０の横幅（折れ線Ｃ２２と折れ線Ｃ２３間の長さ）は、内箱部Ａを収納することができるように、内箱部Ａの左右方向の幅（折れ線Ｃ３と折れ線Ｃ４間の長さ）よりも若干大きく形成されている。
【００７５】
また、正面部２１０と側面部２２０の境界位置には、正面部２１０と側面部２２０の境界の上端（つまり、正面部２１０と側面部２２０間の折れ線（第１折れ線）Ｃ２３の上端）Ｕ１から切目線（第３切目線）Ｋ２１２が形成され、該切目線Ｋ２１２は、上端Ｕ１から切欠部Ｋ２２０の上端までの途中位置（つまり、折れ線Ｃ２３の上端から下端までの途中位置）Ｗ１から上端Ｕ１まで折れ線Ｃ２３に沿って形成されている。この切目線Ｋ２１２は、ミシン目状の切込み（間隔をおきながら形成された切込み）（切断予定線）により形成されている。
【００７６】
また、正面部２１０と側面部２３０の境界位置には、正面部２１０と側面部２３０の境界の上端（つまり、正面部２１０と側面部２３０間の折れ線（第２折れ線）Ｃ２２の上端）Ｕ２から切目線（第４切目線）Ｋ２１４が形成され、該切目線Ｋ２１４は、上端Ｕ２から開口部Ｋ２３０の上端までの途中位置（つまり、折れ線Ｃ２２の上端から下端までの途中位置）Ｗ２から上端Ｕ２まで折れ線Ｃ２２に沿って形成されている。この切目線Ｋ２１４は、ミシン目状の切込み（間隔をおきながら形成された切込み）（切断予定線）により形成されている。なお、途中位置Ｗ１とＷ２の上下方向の高さは同じであり、切目線Ｋ２１２の長さと切目線Ｋ２１４の長さは同一となっている。
【００７７】
また、切目線Ｋ２１２の下端の位置である途中位置Ｗ１から正面部２１０の下辺に平行に折曲げ用の罫線により形成された折れ線Ｃ２１０が形成され、切目線Ｋ２１４の下端の位置である途中位置Ｗ２から正面部２１０の下辺に平行に折曲げ用の罫線により形成された折れ線Ｃ２１２が形成されており、折れ線Ｃ２１０は、辺部２１０ｃに接し、折れ線Ｃ２１２は、辺部２１０ａに接している。つまり、折れ線Ｃ２１０と折れ線Ｃ２１２は、正面部２１０の下辺と平行な同一直線上に形成されている。この折れ線Ｃ２１０、Ｃ２１２は、外箱部Ｂを構成するシート状のブランクの外側となる面（図７の展開図に示される面）から押圧した押罫により形成されている。
【００７８】
正面部２１０は、折れ線Ｃ２１０、Ｃ２１２を介して下側の正面部下側部２１０−１と、折れ線Ｃ２１０、Ｃ２１２を介して上側の正面部上側部２１０−２に区画されている。折れ線Ｃ２１０、Ｃ２１２が設けられているので、正面部上側部２１０−２を正面部下側部２１０−１に対して外側に回動しやすくなっている。
【００７９】
なお、折れ線Ｃ２１０は、途中位置Ｗ１から辺部２１０ｃまで形成されているとしたが、折れ線Ｃ２１０の端部は、途中位置Ｗ１や辺部２１０ｃの位置でなくてもよく、また、折れ線Ｃ２１２は、途中位置Ｗ２から辺部２１０ａまで形成されているとしたが、折れ線Ｃ２１２の端部は、途中位置Ｗ２や辺部２１０ａに位置しなくてもよく、折れ線Ｃ２１０、Ｃ２１２は、途中位置Ｗ１と途中位置Ｗ２の間に途中位置Ｗ１と途中位置Ｗ２を結ぶ方向に直線状に形成されていればよく、そのように罫線が形成されていれば、正面部上側部２１０−２が正面部下側部２１０−１に対して折曲げ可能となる。
【００８０】
なお、正面部２１０は、特定内箱部側面部としての正面部１０に対応する外箱部側面部であるので、「特定外箱部側面部」であるといえる。
【００８１】
また、側面部２２０は、正面部２１０の正面視における右側の端部（つまり、右側面側の端部）から折れ線Ｃ２３を介して連設され、略方形状を呈し、切目線２２２と、切目線２２４ａ、２２４ｂと、通気口２２８が形成されている。側面部２２０は、方形状に対して、背面側の下端を傾斜辺２２０ａにより面取りするとともに、切欠部Ｋ２２０による切欠部を形成した外形を有している。なお、傾斜辺２２０ａの上端部分は、糊代部２４２の下辺の方向に向かって曲がって形成され、傾斜辺２２０ａの下端部分は、側面部２２０の下辺の方向に向かって曲がって形成されている。
【００８２】
ここで、切目線２２２は、ミシン目状の切込み（間隔をおきながら形成された切込み）（切断予定線）により形成され、横方向に間隔を介して設けられた円弧状の切目線２２２ａ、２２２ｃと、切目線２２２ａの上端と２２２ｃの上端を結ぶ横方向（側面部２２０の下辺と平行な方向）の直線状の切目線２２２ｂとを有し、全体に下向きの略コ字状を呈している。切目線２２２と、切目線２２２ａ及び切目線２２２ｃの切目線２２２ｂ側とは反対側の端部間を結ぶ折れ線Ｃ２２４により囲まれた領域が、片部（第１回動片部）２２４となる。
【００８３】
また、切目線２２２ｂの一方の端部から他方の端部までの途中位置には、切目線２２２ａや切目線２２２ｃが設けられている側とは反対側に、縦方向（切目線２２２ｂと直角方向）に互いに平行な切目線２２４ａ、２２４ｂが形成されている。つまり、切目線２２４ａと切目線２２４ｂは、互いに平行に形成され、連続した切込みにより形成されている。また、切目線２２４ａは、切目線２２２ａよりも内側（横方向の内側）に形成され、切目線２２４ｂは、切目線２２２ｃよりも内側（横方向の内側）に形成されている。以上のように、切目線２２４ａと、切目線２２４ｂと、切目線２２２ｂと、切目線２２４ａ及び切目線２２４ｂの切目線２２２ｂ側とは反対側の端部間を結ぶ直線状の折れ線Ｃ２２６により囲まれた領域が、片部（押込み片部）２２６となる。また、側面部２２０における片部２２６よりも上側の領域には、通気口（第２通気口）２２８が設けられている。この通気口２２８は、円形を呈し、収納される鉢植えの花のための空気穴（空気を供給するための穴）である。この側面部２２０の横幅は、内箱部Ａを外箱部Ｂ内に収納することができるように、側面部２０の横幅よりも若干大きく形成されている。
【００８４】
また、側面部２３０は、正面部２１０の正面視における左側の端部（つまり、左側面側の端部）から折れ線Ｃ２２を介して連設され、方形状を呈し、切目線２３２と切目線２３４ａ、２３４ｂと、通気口２３８が形成されている。側面部２３０は、方形状に対して、背面側の下端を傾斜辺２３０ａにより面取りするとともに、開口部Ｋ２３０による切欠部を形成した外形を有している。なお、傾斜辺２３０ａの上端部分は、背面部２４０の下辺の方向に向かって曲がって形成され、傾斜辺２３０ａの下端部分は、側面部２３０の下辺の方向に向かって曲がって形成されている。
【００８５】
この側面部２３０の構成は、側面部２２０と前後方向に垂直な仮想的な平面である中心面を介して、正面側の端部の下側部分（開口部Ｋ２３０による切欠部の箇所）を除き、対称に形成されていて、切目線２３２は、切目線２２２と対称に形成され、横方向に間隔を介して設けられた円弧状の切目線２３２ａ、２３２ｃと、切目線２３２ａの上端と２３２ｃの上端を結ぶ横方向（側面部２３０の下辺と平行な方向）の直線状の切目線２３２ｂとを有し、全体に下向きの略コ字状を呈している。切目線２３２と、切目線２３２ａ及び切目線２３２ｃの切目線２３２ｂ側とは反対側の端部間を結ぶ折れ線Ｃ２３４により囲まれた領域が、片部（第２回動片部）２３４となる。
【００８６】
また、切目線２３２ｂの一方の端部から他方の端部までの途中位置には、切目線２３２ａや切目線２３２ｃが設けられている側とは反対側に、縦方向（切目線２３２ｂと直角方向）に互いに平行な切目線２３４ａ、２３４ｂが形成されている。つまり、切目線２３４ａと切目線２３４ｂは、互いに平行に形成され、連続した切込みにより形成されている。また、切目線２３４ａは、切目線２３２ａよりも内側（横方向の内側）に形成され、切目線２３４ｂは、切目線２３２ｃよりも内側（横方向の内側）に形成されている。以上のように、切目線２３４ａと、切目線２３４ｂと、切目線２３２ｂと、切目線２３４ａ及び切目線２３４ｂの切目線２３２ｂ側とは反対側の端部間を結ぶ直線状の折れ線Ｃ２３６により囲まれた領域が、片部２３６（押込み片部）となる。また、側面部２３０における片部２３６よりも上側の領域には、通気口（第２通気口）２３８が設けられている。この通気口２３８は、円形を呈し、収納される鉢植えの花のための空気穴（空気を供給するための穴）である。この側面部２３０の横幅は、内箱部Ａを外箱部Ｂ内に収納することができるように、側面部３０の横幅よりも若干大きく形成されていて、側面部２２０の横幅と同一（略同一としてもよい）に形成されている。
【００８７】
また、背面部２４０は、側面部２３０の左側面視における左端（つまり、背面側の端部）から折れ線Ｃ２１を介して連設され、方形状を呈している。背面部２４０の下辺は、側面部２３０の傾斜辺２３０ａの上端（背面側の端部）から連設され、背面部２４０の下辺の上下方向の位置は、正面部２１０や側面部２２０、２３０の下辺よりも上下方向において上側にある。この背面部２４０の横幅は、正面部２１０の横幅と同一に形成され、内箱部Ａを外箱部Ｂ内に収納することができるように、内箱部Ａの左右方向の幅よりも若干大きく形成されている。
【００８８】
また、糊代部２４２は、側面部２２０の右側面視における右端（つまり、背面側の端部）から折れ線Ｃ２４を介して連設され、縦方向に細長の帯状台形形状を呈している。この糊代部２４２は、図２に示すように、その内側の面が側面部２２０の外側の面（背面部２４０の右側面側の端部領域）に接着されている。
【００８９】
また、正面部２１０の縦幅と側面部２２０、２３０の縦幅（最大幅）は同一に形成されていて、これらの縦幅は、側面部２０、３０の縦幅（最大幅）と略同一（厳密には、側面部２０、３０の縦幅（最大幅）よりも若干長く）形成されている。
【００９０】
また、正面部２１０と側面部２２０の境界位置の下側には縦長帯状の切欠部Ｋ２２０が形成され、また、正面部２１０と側面部２３０の境界位置の下側には縦長帯状の開口部Ｋ２３０が形成され、内箱部Ａと外箱部Ｂとを接着した状態では、切欠部Ｋ２２０の上端が正面部１０と側面部２０間の境界位置の上端と略一致し、開口部Ｋ２３０の上端が正面部１０と側面部３０間の境界位置の上端と略一致し、特に、切欠部Ｋ２２０の上端が正面部１０と側面部２０間の境界位置の上端と係合している。
【００９１】
また、蓋部２６０は、正面部２１０の上辺から折れ線Ｃ２５を介して連設され、蓋部２６０は、正面部２１０から折れ線Ｃ２５を介して連設された蓋本体２６２と、蓋本体２６２の正面部２１０とは反対側の辺部から折れ線Ｃ２６を介して連設された蓋フラップ２６４とを有している。つまり、この蓋部２６０はＢ式と呼ばれるものである。
【００９２】
蓋本体２６２は、方形状における正面側に切欠部Ｋ２６２を設けた形状を呈している。すなわち、切欠部Ｋ２６２は、一対の折れ線Ｃ２５における左側面側の折れ線Ｃ２５から上下方向に折れ線Ｃ２５に対して直角方向に連設された直線状の辺部２６２ａと、折れ線Ｃ２５の方向と平行な直線状の辺部２６２ｂと、辺部２６２ａと平行で右側面側の折れ線Ｃ２５から連設された直線状の辺部２６２ｃとを有し、辺部２６２ａと辺部２６２ｂ間と辺部２６２ｃと辺部２６２ｂ間には、アールが形成されている。つまり、外箱部Ｂの展開状態では、切欠部Ｋ２１０と切欠部Ｋ２６２とで方形状（厳密には、角部にアールを形成した方形状）の開口部（窓用開口部）２９０が設けられており、この開口部２９０の内側の外周部に該開口部２９０を内側から覆うように透明なシート状部材ＴＳを接着することにより、窓部Ｍが設けられている。つまり、窓部Ｍは、開口部２９０とシート状部材ＴＳにより構成されている。シート状部材ＴＳは、透明なシート状部材であり、例えば、セロファンにより形成されている。なお、シート状部材ＴＳは、透明でなくても、包装箱Ｐに収納された鉢植えの花を包装箱Ｐの外部から視認可能な透明性を有するシート状部材であればよい。
【００９３】
この窓部Ｍが設けられていることにより、外箱部Ｂの外部から収納された鉢植えの花を観賞することができ、特に、蓋本体２６２から正面部２１０にまで窓部Ｍが形成されており、長さＬ２１０が、折れ線Ｃ２５と正面部２１０の下辺間の長さの半分以下であるので、窓部Ｍの大きさが広く確保されており、鉢植えの花を十分観賞することができる。また、窓部Ｍは透明シートＴＳにより覆われているので、鉢植えの花を包装箱Ｐに収納された状態で保護することができ、包装箱Ｐに収納された状態で鉢植えの花に手で触れることができないようになっている。
【００９４】
また、蓋フラップ２６４は、略横長長方形状を呈し、細長長方形状における先端側の角部にアールを形成した形状を呈している。蓋部２６０を閉じる際には、蓋フラップ２６４を背面部２４０の内側に差し込む。
【００９５】
また、フラップ部２７０は、側面部２２０の上辺から折れ線Ｃ２７を介して連設され、全体に略台形形状を呈し、フラップ部２７０の先端側の辺部は、折れ線Ｃ２７と平行に形成されている。
【００９６】
また、フラップ部２８０は、側面部２３０の上辺から折れ線Ｃ２８を介して連設され、全体に略台形形状を呈し、フラップ部２８０の先端側の辺部は、折れ線Ｃ２８と平行に形成されている。
【００９７】
外箱部Ｂを箱状に組み立てた状態では、正面部２１０と背面部２４０とが互いに平行になり、側面部２２０と側面部２３０とが互いに平行になる。また、スリーブ状部２０５を構成する各部材（正面部２１０、側面部２２０、２３０、背面部２４０）における隣接する部材は互いに直角となる。
【００９８】
次に、内箱部Ａと外箱部Ｂとは、分離部２４、３４の箇所で互いに接着されている。つまり、分離部２４の外側の面と側面部２２０（特に、片部２２４）の内側の面とが接着剤その他の接着手段により接着されるとともに、分離部３４の外側の面と側面部２３０（特に、片部２３４）の内側の面とが接着剤その他の接着手段により接着されることにより、包装箱Ｐが全体に一体に形成される。つまり、分離部２４の外側の面の全部又は一部の領域と側面部２２０の内側の面の間には接着剤層（図示せず）が設けられていて、同様に、分離部３４の外側の面の全部又は一部の領域と側面部２３０の内側の面の間には接着剤層（図示せず）が設けられている。これにより、外箱部Ｂのスリーブ状部２０５は、内箱部Ａにおけるスリーブ状部５の外側の面に沿って設けられ、例えば、正面部１０の外側の面に沿って正面部２１０が設けられ、側面部２０の外側の面に沿って側面部２２０が設けられ、側面部３０の外側の面に沿って側面部２３０が設けられ、背面部４０の外側の面に沿って背面部２４０が設けられている。該接着剤層の接着力は、外箱部Ｂの片部２２４を外側に回動させた際に、同時に分離部２４の周囲の切目線２４ａが破れて、分離部２４が内箱部Ａから分離し、回動させた片部２２４に接着した状態で片部２２４に従動するように設定されていて、同様に、外箱部Ｂの片部２３４を外側に回動させた際に、同時に分離部３４の周囲の切目線３４ａが破れて、分離部３４が内箱部Ａから分離し、回動させた片部２３４に接着した状態で片部２３４に従動するように設定されている。
【００９９】
また、内箱部Ａと外箱部Ｂとが接着した状態では、側面部２０の上辺の高さと側面部２２０の上辺の高さとが略一致し、側面部２０の上辺の高さが側面部２２０の上辺の高さよりも若干低く形成され、また、側面部３０の上辺の高さと側面部２３０の上辺の高さとが略一致し、側面部３０の上辺の高さが側面部２３０の上辺の高さよりも若干低く形成されている。
【０１００】
また、内箱部Ａと外箱部Ｂとが接着された状態では、内箱部Ａの下端と外箱部Ｂの下端とが同じ高さになるように形成されている。なお、内箱部Ａと外箱部Ｂとは、分離部２４、３４の箇所以外は互いに接着されていない。また、内箱部Ａと外箱部Ｂが接着された状態では、通気口２８と通気口２２８が重なって連通した状態となり、通気口３８と通気口２３８が重なって連通した状態となっている。
【０１０１】
以上のように、内箱部Ａは外箱部Ｂの内側に収納した状態となっていて、外箱部Ｂの下端の高さ方向の位置は、内箱部Ａの下端の高さ方向の位置と略同一である。
【０１０２】
なお、上記構成の包装箱Ｐは、内箱部Ａが上記のように折り畳むことができ、また、外箱部Ｂがスリーブ状部２０５を有し、外箱部Ｂが全体に略スリーブ状を呈しているので、包装箱Ｐの状態においても平板状に折り畳むことができ、正面部２１０を側面部２２０に対して略平行になるようにし、かつ、側面部２３０を背面部２４０に対して略平行になるようにすることにより、図１１、図１２に示すように平板状に折り畳むことができる。
【０１０３】
上記構成の包装箱Ｐの製造工程について簡単に説明する。まず、展開状態の内箱部Ａと外箱部Ｂとを製造する。
【０１０４】
次に、外箱部Ｂの内側の面に内箱部Ａの外側の面を接着させる（第１接着工程）。つまり、展開状態の外箱部Ｂの内側の面を上側にして、片部２２４における分離部２４との接着領域（図８のハッチングに示す領域）と片部２３４における分離部３４との接着領域（図８のハッチングに示す領域）に接着剤を塗布して、展開状態の内箱部Ａを図８に示すように重ねる。これにより、分離部２４と片部２２４が接着され、分離部３４と片部２３４が接着される。その際、外箱部Ｂのスリーブ状部２０５の下辺と内箱部Ａのスリーブ状部５の下辺とが一致する（略一致するとしてもよい）ようにし、また、外箱部Ｂと内箱部Ａとにおいて、折れ線Ｃ３と折れ線Ｃ２２を一致させる。なお、スリーブ状部５とスリーブ状部２０５において、互いに対応する部材の横方向の長さは、外箱部Ｂの方が長く形成されているので、図８に示すように、折れ線Ｃ２１は、折れ線Ｃ２に対して外側にずれ、折れ線Ｃ２３は折れ線Ｃ４に対して外側にずれる。
【０１０５】
次に、内箱部Ａの底面部５０を構成する各部をスリーブ状部５に対して内側に折り返し、さらに、先端部７４を本体部７２に対して折り返し、先端部８４を本体部８２に対して折り返して、図９に示す状態とする（折り返し工程）。つまり、第１片部６０を側面部３０側に折り返し、第２片部７０を正面部１０側に折り返し、第３片部８０を背面部４０側に折り返し、第４片部９０を側面部２０側に折り返し、さらに、先端部７４を本体部７２に対して折り返し、先端部８４を本体部８２に対して折り返す。
【０１０６】
次に、先端部８４の領域に接着剤を塗布して（図９のハッチングに示す領域に接着剤を塗布する）（接着剤塗布工程）、背面部２４０を折れ線Ｃ２１を介して側面部２３０の側に内側に折り返す（折り返し工程）ことにより、背面部４０を折れ線Ｃ２を介して側面部３０側に折り返し、図１０に示す状態とする。すると、先端部８４が第１片部６０に接着される（第２接着工程）。なお、先端部８４の代わりに、第１片部６０における先端部８４との接着領域に接着剤を塗布してもよい。
【０１０７】
次に、先端部７４の領域と、糊代部４９の領域と、糊代部２４２の領域に接着剤を塗布して（図１０のハッチングに示す領域に接着剤を塗布する）（第２接着剤塗布工程）、側面部２２０を折れ線Ｃ２３を介して正面部２１０の側に内側に折り返す（第２折り返し工程）ことにより、側面部２０を折れ線Ｃ４を介して正面部１０側に折り返し、図１１に示す状態とする。すると、先端部７４と第４片部９０が接着され、糊代部４９が側面部２０に接着され、糊代部２４２が背面部２４０に接着される（第３接着工程）。なお、側面部２２０を正面部２１０側に折り返した際には、側面部２２０に押されてフラップ部１３０が保持部本体１１０に対して折り返された状態となる。図１１に示す状態を反対側から見ると、図１２に示す状態となっている。
【０１０８】
なお、糊代部４９の代わりに、側面部２０における糊代部４９との接着領域に接着剤を塗布してもよく、また、糊代部２４２の代わりに、背面部２４０における糊代部２４２との接着領域に接着剤を塗布してもよく、また、先端部７４の代わりに、第４片部９０における先端部７４との接着領域に接着剤を塗布してもよい。以上のようにして、包装箱Ｐが製造される。なお、上記の製造は、組立て装置により自動で製造される。
【０１０９】
なお、上記の製造工程において、第４片部９０を側面部２０側に折り返し、第２片部７０を正面部１０側に折り返し、さらに、先端部７４を本体部７２に対して折り返す工程は、背面部２４０を側面部２３０側に折り返して、先端部８４を第１片部６０に接着した後で、先端部７４の領域と、糊代部４９の領域と、糊代部２４２の領域に接着剤を塗布する前に行ってもよい。第４片部９０を側面部２０側に折り返し、第２片部７０を正面部１０側に折り返し、さらに、先端部７４を本体部７２に対して折り返す工程と、その後に、先端部７４と糊代部４９、２４２に接着剤を塗布する工程が、第２折り返し・接着剤塗布工程となる。その場合、上記折り返し工程では、第３片部８０と第１片部６０を折り返し、その後、先端部８４に接着剤を塗布することになる（第１折り返し・接着剤塗布工程）。
【０１１０】
また、先端部８４への接着剤の塗布は、第３片部８０を折り返し先端部８４を折り返した状態で行なうとしたが、図８の状態で先端部８４に接着剤を塗布した後に、第３片部８０を図９に示す状態としてもよい。また、先端部７４の接着剤の塗布は、第２片部７０を折り返し先端部７４を折り返した状態で行なうとしたが、図８の状態で先端部７４に接着剤を塗布した後に、第２片部７０を図９に示す状態としてもよい。なお、図８の状態で先端部７４に接着剤を塗布した後に、第２片部７０を図９に示す状態にするのは、背面部２４０を側面部２３０側に折り返して、先端部８４を第１片部６０に接着した後でもよい。
【０１１１】
上記構成の包装箱Ｐの使用状態について説明する。包装箱Ｐを使用しない状況では、上記のように包装箱Ｐは、図１１、図１２に示すように、平板状に折り畳むことができるので、折り畳んで保管しておく。
【０１１２】
そして、包装箱Ｐを使用する際には、以下のように、包装箱Ｐを組み立てるとともに、鉢植えの花（被収納物、商品）を収納する。
【０１１３】
すなわち、外箱部Ｂにおける正面部２１０と背面部２４０とが互いに平行になり、側面部２２０と側面部２３０とが互いに平行になるようにするとともに、内箱部Ａにおける正面部１０と背面部４０とが互いに平行になり、側面部２０と側面部３０とが互いに平行になるようにし、底面部５０がスリーブ状部５、２０５に対して直角になるようにすることにより包装箱Ｐが立体状に組み立てられる。なお、この段階では、蓋本体２６２と蓋フラップ２６４は上方に伸びた状態となっていて、正面部２１０と蓋本体２６２と蓋フラップ２６４とで１枚の平板状となっており（つまり、折れ線Ｃ２１０、Ｃ２１２、Ｃ２５、Ｃ２６を介して折曲されていない）、また、フラップ部２７０は上方に伸びた状態となっていて、側面部２２０とフラップ部２７０とで１枚の平板状となっており（つまり、折れ線Ｃ２７を介して折曲されていない）、フラップ部２８０は上方に伸びた状態となっていて、側面部２３０とフラップ部２８０とで１枚の平板状となっている（つまり、折れ線Ｃ２８を介して折曲されていない）。また、保持部本体１１０と脚部１２０は、上方に伸びた状態となっていて、正面部１０と保持部本体１１０と脚部１２０とで１枚の平板状となっている。
【０１１４】
その後、切目線Ｋ２１２、Ｋ２１４を切断して、正面部上側部２１０−２を折れ線Ｃ２１０、Ｃ２１２を介して正面部下側部２１０−１に対して正面側に回動させる。すると、図１３に示すように、正面部上側部２１０−２と蓋部２６０は正面側に開いた状態となり、正面部２１０の正面部上側部２１０−２の領域が開放されるので、保持部１００を組み立てやすくなる。なお、この段階では、保持部本体１１０と脚部１２０は、上方に伸びた状態となっている。すなわち、正面部１０と保持部本体１１０と脚部１２０とで１枚の平板状となっている（つまり、折れ線Ｃ９、Ｃ１０を介して折曲されていない）。
【０１１５】
保持部１００を組み立てるには、フラップ部１３０、１４０を保持部本体１１０に対して内側に折り曲げた状態で、保持部本体１１０を正面部１０に対して背面側に回動させ、さらに、脚部１２０を保持部本体１１０に対して下方に折り曲げて、脚部１２０を保持部本体１１０に対して折り曲げた状態で保持部本体１１０を正面部１０に対してさらに回動させて、突状部１１４、１１６が穴部４４、４６に嵌合して係止した状態にすることにより保持部１００が組み立てられる。
【０１１６】
保持部１００が組み立てられた状態では、脚部１２０の先端が底面部５０（特に、第３片部８０の本体部８２）に接した状態になり、保持部本体１１０が底面部５０に対して平行（略平行としてもよい）の状態になり、脚部１２０が背面部４０の内側の面に沿った状態で背面部４０の内側の面に接し、フラップ部１３０、１４０が保持部本体１１０に対して下方に折り曲げられて、フラップ部１３０は、側面部（隣接内箱部側面部）２０の内側の面に沿った状態で糊代部４９に接し、フラップ部１４０は、側面部（隣接内箱部側面部）３０の内側の面に沿った状態となる。なお、突状部１１４、１１６が穴部４４、４６に嵌合しているので、保持部本体１１０が底面部５０に対して平行な状態が維持され、保持部本体１１０が上方に回動して浮き上がるのを防止することができる。また、脚部１２０が背面部４０の内側の面に接しているので、この点でも保持部本体１１０の浮き上がりを防止でき、また、脚部１２０が底面部５０に接しているので、突状部１１４、１１６が穴部４４、４６から外れても、保持部本体１１０が略水平よりも下方に回動してしまうことがない。また、フラップ部１３０、１４０が設けられているので、保持部１００の剛性を高めることができ、また、図１７に示すように外箱部Ｂを取り外した際に、側面部２０、３０において分離部２４、３４が設けられていた領域の少なくとも一部をフラップ部１３０、１４０により内側から塞ぐことができるので、見栄えをよくすることができる。
【０１１７】
なお、保持部本体１００を正面部１０に対して折り曲げる際に、フラップ部１３０が側面部２０の辺部２０ｃ、２０ｄに接して保持部１００の組立ての邪魔にならないように、フラップ部１３０が保持部本体１１０に対して十分折れ曲がっている必要があり、フラップ部１４０が側面部３０の辺部３０ｃ、３０ｄに接して保持部１００の組立ての邪魔にならないように、フラップ部１４０が保持部本体１１０に対して十分折れ曲がっている必要があるが、包装箱Ｐの製造に際して、側面部２２０を正面部２１０に対して折り返す際に、フラップ部１３０は、側面部２２０に押されて保持部本体１１０に対して折り返されるので、フラップ部１３０は、保持部本体１１０に対して十分折れ曲がっているので、フラップ部１３０を保持部本体１１０に対して折り曲げる必要はないが、包装箱Ｐを立体状に組み立てた際では、フラップ部１４０は保持部本体１１０に対して略直角に折れ曲がっているだけであり、そのまま保持部本体１１０を回動させると、フラップ部１４０が側面部３０の辺部３０ｃ、３０ｄに接するおそれがあるので、保持部本体１１０を正面部１０に対して回動させる際に、予めフラップ部１４０を保持部本体１１０に対して内側に折り返しておくのが好ましい。保持部１００を組み立てた状態は、図１３に示すようになる。なお、図１においては、包装箱Ｐの説明のために、切目線Ｋ２１２、Ｋ２１４が切断されていない状態で保持部１００が組み立てられている。切目線Ｋ２１２、Ｋ２１４を切断せずに保持部１００を組み立てることは、蓋部２６０を開けた状態で組み立てればよいので、可能である。被収納物の収納に際しても、切目線Ｋ２１２、Ｋ２１４を切断しない状態で被収納物を収納することは可能である。
【０１１８】
次に、図１４に示すように、保持部１００の保持部本体１１０に鉢植えの花ＦＬを保持させる。つまり、鉢植えの花ＦＬを包装箱Ｐ内に収容して、鉢植えの花ＦＬにおける鉢Ｇを収容部１１３に収容する。鉢植えの花ＦＬを収容させる際にも、正面部２１０の正面部上側部２１０−２の領域が開放されているので、収容が容易である。なお、フラップ部２７０、２８０は上方に立設した状態となっているので、鉢植えの花ＦＬを収容するのに邪魔にはならない。
【０１１９】
なお、鉢Ｇの径の大きさは、折れ線Ｃ１３で囲まれた略円形の径以下の大きさである必要があり（つまり、鉢Ｇは折れ線Ｃ１３で囲まれた開口に入る大きさである必要がある）、また、片部ＨＢにより鉢Ｇが保持されるためには、開口部１１３ａの径（片部ＨＢを本体部１１２における収容部１１３以外の領域に対して折り曲げない状態の大きさ）以上であるのが好ましい。なお、鉢Ｇの径の大きさに応じて片部ＨＢが折れ曲がるので、鉢をしっかりと保持することができる。
【０１２０】
次に、包装箱Ｐを図１５に示すように閉状態にする。すなわち、フラップ部２７０を側面部２２０に対して折り曲げるとともに、フラップ部２８０を側面部２３０に対して折り曲げた状態で、正面部上側部２１０−２を正面部下側部２１０−１に対して上方に伸びた状態とし（つまり、正面部２１０を１枚の平板状とする）、その後、蓋本体２６２を折れ線Ｃ２５を介して正面部上側部２１０−２に対して折り曲げ、さらに、蓋フラップ２６４を折れ線Ｃ２６を介して蓋本体２６２に対して折り曲げて、蓋フラップ２６４を背面部２４０の内側に差し込んで蓋部２６０を閉じる。以上のようにして、包装箱Ｐが閉状態となる。図１５に示す状態では、窓部Ｍにより収納された鉢植えの花ＦＬを外部から見ることができる。つまり、包装箱Ｐの状態で鉢植えの花を鑑賞することができる。なお、蓋部２６０を閉じる際に、折れ線Ｃ２５、Ｃ２６を介して折り曲げておいてから蓋部２６０を閉じてもよい。
【０１２１】
実際の使用に際しては、図１５に示すように、鉢植えの花ＦＬを包装箱Ｐに収納した状態で、店舗に陳列する。購入者は、窓部Ｍを通して収納された鉢植えの花ＦＬを外部から見ることができるので、鉢植えの花ＦＬの状態を確認して購入することができる。また、販売者は、鉢植えの花ＦＬがすでに包装箱Ｐに収納されているので、購入者から購入を打診された際に鉢植えの花ＦＬを包装する必要がなく、購入者に商品を渡す際に、包装のために購入者に待たせる必要がない。
【０１２２】
なお、鉢植えの花を包装箱Ｐに収納した状態で搬送する場合に、保持部本体１１０が浮き上がってしまうと鉢植えの花を十分に保持することができないが、突状部１１４、１１６が穴部４４、４６に嵌合して係止しているので、保持部本体１１０が浮き上がるのを防止できる。特に、鉢の径が折れ線Ｃ１３で囲まれた開口よりも小さい場合には、鉢植えの花の重みにより保持部本体１１０の浮き上がりを防止することができないので、突状部１１４、１１６と穴部４４、４６により保持部本体１１０の浮き上がりを防止することができる。
【０１２３】
次に、外箱部Ｂを取り外して鉢植えの花ＦＬを陳列する際には、外箱部Ｂを内箱部Ａから分離する。すなわち、図１６に示すように、外箱部Ｂの側面部２３０の片部２３６を内側に押し込むことにより片部２３４の先端に指を引っかけることができるようにした後に、片部２３４を外側に回動させる。つまり、折れ線Ｃ２３４が回動軸となって片部２３４が上下方向に回動する。
【０１２４】
同様に、外箱部Ｂの側面部２２０の片部２２６を内側に押し込むことにより片部２２４の先端に指を引っかけることができるようにした後に、片部２２４を外側に回動させる。つまり、折れ線Ｃ２２４が回動軸となって片部２２４が上下方向に回動する。
【０１２５】
なお、片部２２４、２３４が回動する際の回動軸となる折れ線Ｃ２２４、Ｃ２３４の箇所には、罫線を形成しておかなくても片部２２４、２３４を回動させることにより自然と折れ線が形成されるが、予め該折れ線の箇所に罫線を形成しておいてもよい。また、同様に、折れ線Ｃ２２６、Ｃ２３６に沿った罫線を省略してもよい。
【０１２６】
すると、外箱部Ｂの片部２２４を外側に回動させた際に、同時に分離部２４の周囲の切目線２４ａが破れて、分離部２４が内箱部Ａ（具体的には、本体部２２）から分離し、回動させた片部２２４に接着した状態で片部２２４に従動する。同様に、外箱部Ｂの片部２３４を外側に回動させた際に、同時に分離部３４の周囲の切目線３４ａが破れて、分離部３４が内箱部Ａ（具体的には、本体部３２）から分離し、回動させた片部２３４に接着した状態で片部２３４に従動する。
【０１２７】
そして、図１７に示すように、外箱部Ｂを上方に引き上げることにより、鉢植えの花ＦＬを収納した状態で、かつ、分離部２４、３４が分離した状態の内箱部Ａが残るので、外箱部Ｂを取り外した状態で、鉢植えの花ＦＬを鑑賞することができる。
【０１２８】
なお、鉢植えの花ＦＬを保持部本体１１０から取り出して、鉢植えの花単独で鑑賞してもよい。つまり、内箱部Ａを取り外した状態で鉢植えの花ＦＬのみを載置して鑑賞してもよい。その際、鉢植えの花ＦＬを保持部本体１１０から取り出す際に、突状部１１４、１１６が穴部４４、４６に係止しているとともに、脚部１２０が背面部４０の内側の面に接しているので、保持部本体１１０が鉢植えの花ＦＬとともに上方に浮き上がることがない。
【０１２９】
以上のように、包装箱Ｐによれば、包装箱Ｐの状態で被収納物（例えば、鉢植えの花）を鑑賞することができるとともに、外箱部Ｂを取り外した状態でも鑑賞することができる。
【０１３０】
また、本実施例の包装箱Ｐによれば、切目線Ｋ２１２、Ｋ２１４を破断することにより、正面部２１０の正面部上側部２１０−２の領域を開放することができるので、保持部１００の組立てや鉢植えの花ＦＬの収納を容易に行なうことができる。特に、包装箱Ｐが製造された段階では、図１１、図１２に示すように、保持部本体１１０や脚部１２０は、上方に伸びた状態となっており、保持部１００を組み立てる際に、正面部２１０の上側の領域（正面部上側部２１０−２の領域）が開放されるので、保持部１００の組立てが容易となる。
【０１３１】
また、蓋部２６０の蓋フラップ２６４を背面部２４０の内側に差し込むだけで包装箱Ｐを閉状態にできるので、容易に鉢植えの花ＦＬの梱包作業を行なうことができる。
【０１３２】
さらに、包装箱の製造方法によれば、上記のように、外箱部Ｂと内箱部Ａを重ねて接着した後に、底面部５０を構成する各部をスリーブ状部５に対して折り返して、所定の領域に接着剤を塗布した後に、折り返す工程を２回行う（つまり、図９の状態から図１０の状態への工程と、図１０の状態から図１１の状態への工程）ことにより製造することができるので、包装箱の製造が容易となる。
【０１３３】
なお、上記の説明では、被収納物として鉢植えの花を例にとって説明したが、鉢植えの花には限られず他の被収納物でもよく、例えば、ぬいぐるみであってもよい。被収納物がぬいぐるみの場合でも、包装箱Ｐの状態でぬいぐるみを鑑賞することができるとともに、外箱部Ｂを取り外した状態でも鑑賞することができる。
【０１３４】
また、窓部Ｍ及び窓部Ｍを構成する開口部２９０は、正面部２１０から蓋本体２６２にかけて形成されているとしたが、正面部２１０のみに設けられていてもよく、あるいは、蓋本体２６２のみに設けられていてもよい。つまり、窓部Ｍや開口部２９０は、正面部２１０と蓋部２６０からなる領域内に設けられていればよい。ただし、実施例のように、窓部Ｍが正面部２１０から蓋本体２６２にかけて形成されていることにより、保持された鉢植えの花ＦＬを外部から見やすくできる。
【０１３５】
また、収容部１１３は、開口部１１３ａと複数の切込み１１３ｂにより形成されているとしたが、これには限られず、例えば、図１８に示すように、中心位置Ｗから放射状に形成された複数の切込み１１３ｃと、切込み１１３ｃの外側の端部間を結ぶ折れ線Ｃ１４により収容部（保持手段）１１３を構成するものとし、収容部１１３の使用に際しては、上方から見て折れ線Ｃ１４を山折りとすることにより切込み１１３ｃと折れ線Ｃ１４により囲まれた片部ＨＢを下方へ折り曲げ、折れ線Ｃ１４で囲まれた開口部に被収納物を収容するものとしてもよい。つまり、切込み１１３ｃは、被収納物を収容するための開口部を形成するための切込み（切込みからなる切目線）といえる。なお、切込み１１３ｃの代わりに、切断予定線としての切目線とし、収容部１１３に被収納物を収容する際に、該切目線を切断した後に該切目線と折れ線Ｃ１４により囲まれた片部ＨＢを下方に折り曲げて、開口部に被収納物を収容してもよい。つまり、切込みからなる切目線又は切断予定線からなる切目線により収容部１１３を構成してもよい。
【０１３６】
また、被収納物がぬいぐるみのように柔軟性のあるものである場合には、収容部１１３を単に開口部により構成しても、被収納物を該開口部に嵌合させることにより、被収納物をしっかりと保持することができる。例えば、図６や図１８において、片部ＨＢの構成を省略して開口部のみにより収容部１１３を構成する。なお、開口部の形状としては任意であり、例えば、円形や四角形状でもよい。
【０１３７】
また、通気口２２８、２３８の全ての領域が通気口２８、３８の領域内に入るように形成されているとしたが、内箱部Ａの内側から側面視した場合に、通気口２２８、２３８の領域の一部が通気口２８、３８の領域内に入っていればよく、結果として、通気口２８と通気口２２８が連通していればよく、また、通気口３８と通気口２３８が連通していればよい。
【０１３８】
また、通気口は、側面部２０、２２０と側面部３０、２３０に設けられているとしたが、背面部４０と背面部２４０に通気口を設け、背面部４０の通気口と背面部２４０の通気口が連通するようにしてもよい。
【０１３９】
また、外箱部Ｂにおいて、切目線２２２ａ、２２２ｃ、２３２ａ、２３２ｃは切断予定線であるとしたが、連続した切込みにより形成された切目線でもよい。
【０１４０】
また、上記の説明において、図８〜図１１に示す工程で包装箱を製造するとして説明したが、外箱部Ｂと内箱部Ａの展開状態を左右対称として製造してもよい。すなわち、実施例１を例にとると、図７に示す状態の外箱部Ｂの上面に図６に示す状態の内箱部Ａを重ねて接着し、内箱部Ａの底面部を構成する各部を折り返すとともに、先端部７４、８４を外側に折り返して、先端部８４に接着剤を塗布した状態で背面部２４０を折り返し、さらに、先端部７４と糊代部４９、２４２に接着剤を塗布して側面部２２０を折り返すことにより包装箱を製造してもよい。その場合に製造された包装箱は、図１〜図５の構成に際して左右対称に形成されることになり、例えば、背面部４０から連設された糊代部４９は、左側面部の内側の面に接着されることになる。
【０１４１】
また、内箱部Ａにおいて、糊代部４９は背面部４０から連設されているが、側面部２０から連設された構成とし、外箱部Ｂにおいて、糊代部２４２は側面部２２０から連設されているが、背面部２４０から連設された構成としてもよい。その場合には、包装箱の製造に際しては、糊代部２４２が連設されていない側面部２２０を正面部２１０に対して折り返し（第２接着工程）、その後、背面部２４０を側面部２３０に対して折り返す（第３接着工程）。
【０１４２】
また、上記の説明において、外箱部Ｂにおいて、蓋本体２６２の先端から蓋フラップ２６４が連設されているとしたが、蓋フラップ２６４を省略して蓋本体２６２のみにより蓋部を構成し、蓋本体２６２を閉状態で固定するには、蓋本体２６２の先端領域と背面部２４０間に接着テープを貼り付ける（例えば、蓋本体２６２の先端に沿って接着テープを貼り付ける）ようにしてもよい。
【０１４３】
また、上記の説明において、外箱部Ｂにおいては、蓋部２６０としてＢ式であるとしたが、他の形式、例えば、Ａ式としてもよい。つまり、Ａ式とした場合には、正面部２１０の上辺から蓋部が連設されるとともに、背面部２４０の上辺から蓋部が連設され、接着テープを外箱部Ｂの側面部２２０から２つの蓋部の上面（具体的には、２つの蓋部の境界を塞ぐ領域）を経て側面部２３０側にまで接着させることにより、２つの蓋部が封止される。
【符号の説明】
【０１４４】
Ｐ  包装箱
Ａ  内箱部
Ｂ  外箱部
５、２０５  スリーブ状部
１０、２１０  正面部
２０、３０、２２０、２３０  側面部
２４、３４  分離部
２８、３８、２２８、２３８  通気口
４０、２４０  背面部
４４、４６  穴部
４９、２４２  糊代部
５０  底面部
６０  第１片部
７０  第２片部
８０  第３片部
９０  第４片部
７４、８４  先端部
１００  保持部
１１０  保持部本体
１１２  本体部
１１３  収容部
１１３ａ  開口部
１１３ｂ、１１３ｃ  切込み
１１４、１１６  突状部
１２０  脚部
１３０、１４０  フラップ部
２１０−１  正面部下側部
２１０−２  正面部上側部
ＨＢ  片部
２２４、２３４  片部
２６０  蓋部
２６２  蓋本体
２６４  蓋フラップ
【図１】
2018184178.tif 000003
【図２】
2018184178.tif 000004
【図３】
2018184178.tif 000005
【図４】
2018184178.tif 000006
【図５】
2018184178.tif 000007
【図６】
2018184178.tif 000008
【図７】
2018184178.tif 000009
【図８】
2018184178.tif 000010
【図９】
2018184178.tif 000011
【図１０】
2018184178.tif 000012
【図１１】
2018184178.tif 000013
【図１２】
2018184178.tif 000014
【図１３】
2018184178.tif 000015
【図１４】
2018184178.tif 000016
【図１５】
2018184178.tif 000017
【図１６】
2018184178.tif 000018
【図１７】
2018184178.tif 000019
【図１８】
2018184178.tif 000020